(57)【要約】      （修正有）【課題】免許不要すなわち共有周波数スペクトルにおいて動作するライセンス支援アクセス（ＬＡＡ）セルのための無線リソース管理（ＲＲＭ）測定および報告のための方法、システム及びデバイスを提供する。【解決手段】共有スペクトルにおけるセルのためのＲＲＭ測定および報告のための拡張方法であって、ユーザ機器（ＵＥ）１１５-ａは、ｅＮＢ１０５−ａからＲＲＭ測定構成３１０を受信すると、拡張ＤＭＴＣ探索ウィンドウを含み得る発見基準信号（ＤＲＳ）測定タイミング構成（ＤＭＴＣ）を構成する。ＵＥは、ＤＭＴＣに従ってネイバーセルからのＤＲＳ送信を探索する。【選択図】図３
2020195142.tif 000002
【特許請求の範囲】
【請求項１】
ユーザ機器（ＵＥ）において、共有周波数帯域の１つまたは複数の周波数チャネルのための無線リソース管理（ＲＲＭ）測定構成を受信することと、前記ＲＲＭ測定構成が、前記１つまたは複数の周波数チャネルのための少なくとも１つのチャネル占有測定パラメータを備える、
前記少なくとも１つのチャネル占有測定パラメータに従って前記１つまたは複数の周波数チャネルのための少なくとも１つのチャネル占有メトリックを決定することと、
サービングセルに前記少なくとも１つのチャネル占有メトリックを報告することと
を備える、ワイヤレス通信の方法。
【請求項２】
前記少なくとも１つのチャネル占有測定パラメータが、受信信号強度インジケータ（ＲＳＳＩ）観測期間、ＲＳＳＩ測定期間、ＲＳＳＩしきい値、１つまたは複数のフィルタ処理パラメータ、あるいはそれらの組合せを備える、請求項１に記載の方法。
【請求項３】
前記少なくとも１つのチャネル占有メトリックは、ＲＳＳＩ測定値が前記ＲＳＳＩ観測期間にわたって前記ＲＳＳＩしきい値を上回る時間の割合を示す、請求項２に記載の方法。
【請求項４】
前記少なくとも１つのチャネル占有メトリックが、前記ＲＳＳＩ観測期間にわたって平均ＲＳＳＩまたはフィルタ処理ＲＳＳＩのうちの少なくとも１つを備える、請求項２に記載の方法。
【請求項５】
前記ＲＳＳＩ観測期間は、物理レイヤがＲＳＳＩの測定値を報告する連続数のシンボルを備える、請求項２に記載の方法。
【請求項６】
前記ＲＳＳＩ観測期間が、少なくとも１つのＲＳＳＩ測定期間を備える、請求項２に記載の方法。
【請求項７】
前記少なくとも１つのチャネル占有メトリックを報告することが、１つまたは複数のサービングセル、１つまたは複数の周波数内ネイバーセル、あるいはそれらの組合せについて報告することを備える、請求項１に記載の方法。
【請求項８】
前記少なくとも１つのチャネル占有メトリックが、共有周波数帯域の少なくとも１つのネイバー周波数について信号量を測定しながら、それと同時に１次セルを介してサービング基地局と通信することを備えると決定すること
をさらに備える、請求項１に記載の方法。
【請求項９】
前記１つまたは複数の周波数チャネルのための前記少なくとも１つのチャネル占有メトリックが、サービングセルからの１つまたは複数の発見基準信号（ＤＲＳ）送信を含む時間期間について決定され、ここにおいて、前記決定することが、前記１つまたは複数のＤＲＳ送信についての測定された受信信号強度インジケータ（ＲＳＳＩ）から前記サービングセルに関連する基準信号受信電力（ＲＳＲＰ）を減算することを備える、請求項１に記載の方法。
【請求項１０】
共有周波数帯域の少なくとも１つの周波数チャネルのチャネル選択のための少なくとも１つのチャネル占有メトリックを報告するために少なくとも１つのユーザ機器（ＵＥ）を基地局によって構成することと、ここにおいて、前記構成することが、前記少なくとも１つの周波数チャネルのための少なくとも１つのチャネル占有測定パラメータを示す前記少なくとも１つの周波数チャネルのためのそれぞれの無線リソース管理（ＲＲＭ）測定構成を送ることを備える、
前記少なくとも１つのＵＥから、前記それぞれのＲＲＭ測定構成に従って決定された前記少なくとも１つのチャネル占有メトリックを受信することと、
前記少なくとも１つのチャネル占有メトリックに少なくとも部分的に基づいて前記基地局の２次セルのための周波数チャネルを識別することと
を備える、ワイヤレス通信の方法。
【請求項１１】
前記少なくとも１つのチャネル占有測定パラメータが、受信信号強度インジケータ（ＲＳＳＩ）観測期間、ＲＳＳＩ測定期間、ＲＳＳＩしきい値、１つまたは複数のフィルタ処理パラメータ、あるいはそれらの組合せを備える、請求項１０に記載の方法。
【請求項１２】
前記少なくとも１つのチャネル占有メトリックは、ＲＳＳＩ測定値が前記ＲＳＳＩ観測期間にわたって前記ＲＳＳＩしきい値を上回る時間の割合を示す、請求項１１に記載の方法。
【請求項１３】
前記少なくとも１つのチャネル占有メトリックが、前記ＲＳＳＩ観測期間にわたって平均ＲＳＳＩまたはフィルタ処理ＲＳＳＩのうちの少なくとも１つを備える、請求項１１に記載の方法。
【請求項１４】
前記ＲＳＳＩ観測期間は、物理レイヤがＲＳＳＩの測定値を報告する連続数のシンボルを備える、請求項１１に記載の方法。
【請求項１５】
前記ＲＳＳＩ観測期間が、少なくとも１つのＲＳＳＩ測定期間を備える、請求項１１に記載の方法。
【請求項１６】
前記少なくとも１つのチャネル占有メトリックが、１つまたは複数のサービングセル、１つまたは複数の周波数内ネイバーセルについて報告することを備えると報告することをさらに備える、請求項１０に記載の方法。
【請求項１７】
少なくとも１つの周波数チャネルのためのチャネル選択支援のための測定値を報告するために少なくとも１つのユーザ機器（ＵＥ）を基地局によって構成するための手段と、ここにおいて、前記構成することが、前記少なくとも１つの周波数チャネルについてのチャネル占有に関連する少なくとも１つのパラメータを示す前記少なくとも１つの周波数チャネルのためのそれぞれの無線リソース管理（ＲＲＭ）測定構成を送ることを備える、
前記少なくとも１つのＵＥから、前記ＲＲＭ測定構成に従って測定された少なくとも１つのチャネル占有メトリックを受信するための手段と、
前記少なくとも１つのチャネル占有メトリックに少なくとも部分的に基づいて前記基地局の２次セルのための周波数チャネルを識別するための手段と
を備える、ワイヤレス通信のための装置。
【請求項１８】
前記ＲＲＭ測定構成が、前記少なくとも１つの周波数チャネルに関連する少なくとも１つのＲＳＳＩ測定パラメータを備え、前記少なくとも１つのＲＳＳＩ測定パラメータが、ＲＳＳＩ観測期間、ＲＳＳＩ測定期間、ＲＳＳＩしきい値、またはそれらの組合せを備え、ここにおいて、構成するための前記手段は、前記ＲＳＳＩ観測期間にわたる平均ＲＳＳＩ、または前記少なくとも１つの周波数チャネルのＲＳＳＩ測定値が前記ＲＳＳＩ観測期間にわたって前記ＲＳＳＩしきい値を上回る時間量のインジケータ、あるいはそれらの組合せを前記装置に報告させる、請求項１７に記載の装置。
【請求項１９】
前記ＲＳＳＩ観測期間が、少なくとも１つのＲＳＳＩ測定期間を備える、請求項１８に記載の装置。
【請求項２０】
前記少なくとも１つのチャネル占有メトリックは、ＲＳＳＩ測定値が前記ＲＳＳＩ観測期間にわたって前記ＲＳＳＩしきい値を上回る時間の割合を示す、請求項１８に記載の装置。
【請求項２１】
共有周波数スペクトル帯域の少なくとも１つの周波数チャネルを利用するキャリアアグリゲーション構成を有するユーザ機器（ＵＥ）において、前記少なくとも１つの周波数チャネルのための拡張ＤＭＴＣウィンドウを備える拡張発見基準信号（ＤＲＳ）測定タイミング構成（ＤＭＴＣ）を受信することと、
前記少なくとも１つの周波数チャネルについて、前記拡張ＤＭＴＣウィンドウにわたってネイバーセルによるＤＲＳ送信について探索を実施することと、
前記探索の結果をサービング基地局に報告することと
を備える、ワイヤレス通信の方法。
【請求項２２】
前記拡張ＤＭＴＣウィンドウが、探索期間またはウィンドウ持続時間のうちの少なくとも１つで構成される、請求項２１に記載の方法。
【請求項２３】
前記少なくとも１つの周波数チャネルを介したサービングセルまたはネイバーセルからの前記ＤＲＳが、リッスンビフォアトーク（ＬＢＴ）手順に従う、請求項２１に記載の方法。
【請求項２４】
前記探索の前記結果が、少なくとも１つの周波数内ネイバーセルについての少なくとも１つの測定値、前記少なくとも１つの周波数内ネイバーセルの識別子の少なくとも１つの指示、あるいはそれらの組合せを備える、請求項２１に記載の方法。
【請求項２５】
前記探索が、前記拡張ＤＭＴＣウィンドウ内の構成された時間位置において少なくとも１つのサービング２次セルＤＲＳについて探索することを備える、請求項２１に記載の方法。
【請求項２６】
前記探索が、前記拡張ＤＭＴＣウィンドウ内の構成された時間位置に関連しない少なくとも１つのネイバーセルＤＲＳについて探索することを備える、請求項２１に記載の方法。
【請求項２７】
前記拡張ＤＭＴＣウィンドウが、拡張ＤＭＴＣ探索期間および拡張ＤＭＴＣウィンドウ持続時間で構成される、請求項２１に記載の方法。
【請求項２８】
前記拡張ＤＭＴＣウィンドウ持続時間は、１つのＤＭＴＣ期間の持続時間に等しい、請求項２７に記載の方法。
【請求項２９】
前記探索が、前記サービング基地局による要求時に実施される、請求項２７に記載の方法。
【請求項３０】
前記ＵＥが、前記要求によって指定された持続時間にわたってＤＲＳ送信について探索を実施する、請求項２９に記載の方法。
【発明の詳細な説明】
【技術分野】
【０００１】
相互参照
[0001]本特許出願は、各々が本出願の譲受人に譲渡された、２０１６年４月２６日に出願された、「ＲＲＭ  Ｍｅａｓｕｒｅｍｅｎｔ  ａｎｄ  Ｒｅｐｏｒｔｉｎｇ  ｆｏｒ  Ｌｉｃｅｎｓｅ  Ａｓｓｉｓｔｅｄ  Ａｃｃｅｓｓ」と題する、Ｖａｊａｐｅｙａｍらによる米国特許出願第１５／１３８，７６９号、および２０１５年５月１３日に出願された、「ＲＲＭ  Ｍｅａｓｕｒｅｍｅｎｔ  ａｎｄ  Ｒｅｐｏｒｔｉｎｇ  ｆｏｒ  ＬＡＡ」と題する、Ｖａｊａｐｅｙａｍらによる米国仮特許出願第６２／１６１，１６７号の優先権を主張する。
【０００２】
[0002]以下は、一般にワイヤレス通信に関し、より詳細には、ライセンス支援アクセス（ＬＡＡ：license assisted access）のための無線リソース管理（ＲＲＭ：radio resource management）測定および報告に関する。
【背景技術】
【０００３】
[0003]ワイヤレス通信システムは、音声、ビデオ、パケットデータ、メッセージング、およびブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（たとえば、ロングタームエボリューション（ＬＴＥ（登録商標））システム）がある。ワイヤレス多元接続通信システムは、場合によってはユーザ機器（ＵＥ）として知られていることがある、複数の通信デバイスのための通信を各々が同時にサポートする、いくつかの基地局を含み得る。
【０００４】
[0004]ＬＴＥまたはＬＴＥアドバンスト（ＬＴＥ−Ａ）ネットワークでは、基地局およびＵＥは、ネットワーク事業者に認可された専用周波数スペクトルを介して通信し得る。認可された事業者ネットワーク（たとえば、セルラーネットワークなど）は、パブリックランドモバイルネットワーク（ＰＬＭＮ）として知られていることがある。専用（たとえば、認可）無線周波数帯域を使用するセルラーネットワークにおけるデータトラフィックの増加とともに、少なくとも一部のデータトラフィックを免許不要すなわち共有無線周波数スペクトルにオフロードすることにより、データ伝送容量とリソースの効率的な使用とが向上され得る。免許不要および共有無線周波数スペクトルはまた、専用無線周波数スペクトルへのアクセスが利用不可能であるエリア中でサービスを与え得る。「免許不要スペクトル」は、ライセンスなしの使用のために利用可能なスペクトルを概して指し、アクセスおよび送信電力に関する技術的ルールに通常従わなければならない。共有スペクトルは、１つまたは複数の事業者に認可されたスペクトルを概して指すが、いくつかのデバイス共存手順に従う（たとえば、２つ以上の認可事業者を有する認可無線周波数スペクトル帯域、優先事業者を有するがリソースの日和見的共有を提供する認可無線周波数スペクトル帯域など）。
【０００５】
[0005]事前協調されたリソース割振りなしの認可または共有周波数スペクトルの共有周波数リソースへのアクセスの競合解消のためにリッスンビフォアトーク（ＬＢＴ：listen before talk）手順が使用され得る。ＬＢＴ手順は、共有チャネルが利用可能であるかどうかを決定するためにクリアチャネルアセスメント（ＣＣＡ：clear channel assessment）手順を実施することを含み得る。共有チャネルが利用可能であると決定されたとき、デバイスは、データ送信の前にチャネルを予約するための信号を送信し得る。他のデバイスは、送信を検出するために予約信号について監視し得、また、共有チャネルがビジーであるか空いているかを決定するためにエネルギー検出を使用して共有チャネルを監視し得る。
【０００６】
[0006]共有無線周波数スペクトル上でＬＴＥ信号波形を使用する動作はＬＴＥアンライセンスト（ＬＴＥ−Ｕ：LTE（登録商標）-Unlicensed）動作と呼ばれることがあり、ＬＴＥ−Ｕ動作をサポートするＬＴＥデバイスはＬＴＥ−Ｕデバイスと呼ばれることがある。免許不要すなわち共有周波数スペクトルにおいてＬＴＥ／ＬＴＥ−Ａキャリアを使用する動作は、共有スペクトル中のＬＴＥ／ＬＴＥ−ＡキャリアがＵＥのための１次セルとして使用され得るスタンドアロン動作モードで使用されるか、あるいは、ＵＥが認可スペクトル帯域における１次セルと免許不要すなわち共有周波数スペクトルにおける１つまたは複数のＬＴＥ／ＬＴＥ−Ａ２次セルとのキャリアアグリゲーションのために構成された、ライセンスト支援アクセス（ＬＡＡ）モードで使用され得る。
【０００７】
[0007]ＬＴＥ／ＬＴＥ−Ａネットワークでは、無線リソース管理（ＲＲＭ）は、スケジューリング、電力制御、ハンドオーバ、および負荷分散を含む、無線リソースを管理するための手順を含む。ＵＥによって実施されるＲＲＭ手順は、サービス連続性およびリソース管理のためのサービングセルおよびネイバーセルの測定および報告を含む。たとえば、セル測定値は、ＵＥをいつハンドオーバすべきかを決定するために、またはサービングセルのチャネル選択のために使用され得る。免許不要すなわち共有周波数スペクトルにおけるセルはＬＢＴ手順に従わなければならないことがあるので、専用スペクトルのために設計されたＲＲＭセル測定および報告手順は、免許不要すなわち共有周波数スペクトルの間でリソースを効率的に割り振るのに不十分な情報しか与えないことがある。
【発明の概要】
【０００８】
[0008]免許不要すなわち共有周波数スペクトルにおいて動作するライセンス支援アクセス（ＬＡＡ）セルのための無線リソース管理（ＲＲＭ）測定および報告のための方法、システム、およびデバイスについて説明する。ユーザ機器（ＵＥ）が、共有周波数帯域のネイバーセルを測定するためのチャネル占有パラメータを含むＲＲＭ測定構成を受信し得る。チャネル占有パラメータは、セル選択のために基地局に送られ得るチャネル占有メトリックを決定するために使用され得る。チャネル占有メトリックは、平均またはフィルタ処理受信信号強度インジケータ（ＲＳＳＩ：received signal strength indicator）を含み得、サービングセルおよび／または周波数内ネイバーセルについて報告され得る。基地局が、拡張発見基準信号（ＤＲＳ：discovery reference signal）測定タイミング構成（ＤＭＴＣ：DRS measurement timing configuration）でＵＥをさらに構成し得る。ＵＥは、拡張ＤＭＴＣに従ってネイバーセルからのＤＲＳ送信について探索し得る。ＵＥは、次いで、サービング基地局に探索の結果を報告し得る。
【０００９】
[0009]ワイヤレス通信の方法について説明する。本方法は、ユーザ機器（ＵＥ）において、共有周波数帯域の１つまたは複数の周波数チャネルのための無線リソース管理（ＲＲＭ）測定構成を受信することと、ＲＲＭ測定構成が、１つまたは複数の周波数チャネルのための少なくとも１つのチャネル占有測定パラメータを備える、少なくとも１つのチャネル占有測定パラメータに従って１つまたは複数の周波数チャネルのための少なくとも１つのチャネル占有メトリックを決定することと、サービングセルに少なくとも１つのチャネル占有メトリックを報告することとを含み得る。
【００１０】
[0010]ワイヤレス通信のための装置について説明する。本装置は、ユーザ機器（ＵＥ）において、共有周波数帯域の１つまたは複数の周波数チャネルのための無線リソース管理（ＲＲＭ）測定構成を受信するための手段と、ＲＲＭ測定構成が、１つまたは複数の周波数チャネルのための少なくとも１つのチャネル占有測定パラメータを備える、少なくとも１つのチャネル占有測定パラメータに従って１つまたは複数の周波数チャネルのための少なくとも１つのチャネル占有メトリックを決定するための手段と、サービングセルに少なくとも１つのチャネル占有メトリックを報告するための手段とを含み得る。
【００１１】
[0011]さらなる装置について説明する。本装置は、プロセッサと、プロセッサと電子通信しているメモリと、メモリに記憶された命令とを含み得る。命令は、ユーザ機器（ＵＥ）において、共有周波数帯域の１つまたは複数の周波数チャネルのための無線リソース管理（ＲＲＭ）測定構成を受信することと、ＲＲＭ測定構成が、１つまたは複数の周波数チャネルのための少なくとも１つのチャネル占有測定パラメータを備える、少なくとも１つのチャネル占有測定パラメータに従って１つまたは複数の周波数チャネルのための少なくとも１つのチャネル占有メトリックを決定することと、サービングセルに少なくとも１つのチャネル占有メトリックを報告することとをプロセッサに行わせるように動作可能であり得る。
【００１２】
[0012]ワイヤレス通信のための非一時的コンピュータ可読媒体について説明する。非一時的コンピュータ可読媒体は、ユーザ機器（ＵＥ）において、共有周波数帯域の１つまたは複数の周波数チャネルのための無線リソース管理（ＲＲＭ）測定構成を受信することと、ＲＲＭ測定構成が、１つまたは複数の周波数チャネルのための少なくとも１つのチャネル占有測定パラメータを備える、少なくとも１つのチャネル占有測定パラメータに従って１つまたは複数の周波数チャネルのための少なくとも１つのチャネル占有メトリックを決定することと、サービングセルに少なくとも１つのチャネル占有メトリックを報告することとをプロセッサに行わせる命令を含み得る。
【００１３】
[0013]上記で説明した方法、装置、または非一時的コンピュータ可読媒体のいくつかの例では、少なくとも１つのチャネル占有測定パラメータは、受信信号強度インジケータ（ＲＳＳＩ）観測期間、ＲＳＳＩ測定期間、ＲＳＳＩしきい値、１つまたは複数のフィルタ処理パラメータ、あるいはそれらの組合せを備える。
【００１４】
[0014]上記で説明した方法、装置、または非一時的コンピュータ可読媒体のいくつかの例では、少なくとも１つのチャネル占有メトリックは、ＲＳＳＩ測定値がＲＳＳＩ観測期間にわたってＲＳＳＩしきい値を上回る時間の割合を示す。上記で説明した方法、装置、または非一時的コンピュータ可読媒体のいくつかの例では、少なくとも１つのチャネル占有メトリックは、ＲＳＳＩ観測期間にわたって平均ＲＳＳＩまたはフィルタ処理ＲＳＳＩのうちの少なくとも１つを備える。
【００１５】
[0015]上記で説明した方法、装置、または非一時的コンピュータ可読媒体のいくつかの例では、ＲＳＳＩ観測期間は、物理レイヤがＲＳＳＩの測定値を報告する連続数のシンボルを備える。上記で説明した方法、装置、または非一時的コンピュータ可読媒体のいくつかの例では、ＲＳＳＩ観測期間は、少なくとも１つのＲＳＳＩ測定期間を備える。
【００１６】
[0016]上記で説明した方法、装置、または非一時的コンピュータ可読媒体のいくつかの例では、少なくとも１つのチャネル占有メトリックを報告することは、１つまたは複数のサービングセル、１つまたは複数の周波数内ネイバーセル、あるいはそれらの組合せについて報告することを備える。
【００１７】
[0017]上記で説明した方法、装置、または非一時的コンピュータ可読媒体のいくつかの例は、少なくとも１つのチャネル占有メトリックが、共有周波数帯域の少なくとも１つのネイバー周波数について信号量を測定しながら、それと同時に１次セルを介してサービング基地局と通信することを備えると決定するためのプロセス、特徴、手段、または命令をさらに含み得る。
【００１８】
[0018]上記で説明した方法、装置、または非一時的コンピュータ可読媒体のいくつかの例では、１つまたは複数の周波数チャネルのための少なくとも１つのチャネル占有メトリックは、サービングセルからの１つまたは複数の発見基準信号（ＤＲＳ）送信を含む時間期間について決定され、ここで、決定することは、１つまたは複数のＤＲＳ送信についての測定された受信信号強度インジケータ（ＲＳＳＩ）からサービングセルに関連する基準信号受信電力（ＲＳＲＰ）を減算することを備える。
【００１９】
[0019]ワイヤレス通信の方法について説明する。本方法は、共有周波数帯域の少なくとも１つの周波数チャネルのチャネル選択のための少なくとも１つのチャネル占有メトリックを報告するために少なくとも１つのユーザ機器（ＵＥ）を基地局によって構成することと、ここにおいて、構成することが、少なくとも１つの周波数チャネルのための少なくとも１つのチャネル占有測定パラメータを示す少なくとも１つの周波数チャネルのためのそれぞれの無線リソース管理（ＲＲＭ）測定構成を送ることを備える、少なくとも１つのＵＥから、それぞれのＲＲＭ測定構成に従って決定された少なくとも１つのチャネル占有メトリックを受信することと、少なくとも１つのチャネル占有メトリックに少なくとも部分的に基づいて基地局の２次セルのための周波数チャネルを識別することとを含み得る。
【００２０】
[0020]ワイヤレス通信のための装置について説明する。本装置は、共有周波数帯域の少なくとも１つの周波数チャネルのチャネル選択のための少なくとも１つのチャネル占有メトリックを報告するために少なくとも１つのユーザ機器（ＵＥ）を基地局によって構成するための手段と、ここにおいて、構成することが、少なくとも１つの周波数チャネルのための少なくとも１つのチャネル占有測定パラメータを示す少なくとも１つの周波数チャネルのためのそれぞれの無線リソース管理（ＲＲＭ）測定構成を送ることを備える、少なくとも１つのＵＥから、それぞれのＲＲＭ測定構成に従って決定された少なくとも１つのチャネル占有メトリックを受信するための手段と、少なくとも１つのチャネル占有メトリックに少なくとも部分的に基づいて基地局の２次セルのための周波数チャネルを識別するための手段とを含み得る。
【００２１】
[0021]さらなる装置について説明する。本装置は、プロセッサと、プロセッサと電子通信しているメモリと、メモリに記憶された命令とを含み得る。命令は、共有周波数帯域の少なくとも１つの周波数チャネルのチャネル選択のための少なくとも１つのチャネル占有メトリックを報告するために少なくとも１つのユーザ機器（ＵＥ）を基地局によって構成することと、ここにおいて、構成することが、少なくとも１つの周波数チャネルのための少なくとも１つのチャネル占有測定パラメータを示す少なくとも１つの周波数チャネルのためのそれぞれの無線リソース管理（ＲＲＭ）測定構成を送ることを備える、少なくとも１つのＵＥから、それぞれのＲＲＭ測定構成に従って決定された少なくとも１つのチャネル占有メトリックを受信することと、少なくとも１つのチャネル占有メトリックに少なくとも部分的に基づいて基地局の２次セルのための周波数チャネルを識別することとをプロセッサに行わせるように動作可能であり得る。
【００２２】
[0022]ワイヤレス通信のための非一時的コンピュータ可読媒体について説明する。非一時的コンピュータ可読媒体は、共有周波数帯域の少なくとも１つの周波数チャネルのチャネル選択のための少なくとも１つのチャネル占有メトリックを報告するために少なくとも１つのユーザ機器（ＵＥ）を基地局によって構成することと、ここで、構成することが、少なくとも１つの周波数チャネルのための少なくとも１つのチャネル占有測定パラメータを示す少なくとも１つの周波数チャネルのためのそれぞれの無線リソース管理（ＲＲＭ）測定構成を送ることを備える、少なくとも１つのＵＥから、それぞれのＲＲＭ測定構成に従って決定された少なくとも１つのチャネル占有メトリックを受信することと、少なくとも１つのチャネル占有メトリックに基づいて基地局の２次セルのための周波数チャネルを識別することとをプロセッサに行わせる命令を含み得る。
【００２３】
[0023]上記で説明した方法、装置、または非一時的コンピュータ可読媒体のいくつかの例では、少なくとも１つのチャネル占有測定パラメータは、受信信号強度インジケータ（ＲＳＳＩ）観測期間、ＲＳＳＩ測定期間、ＲＳＳＩしきい値、１つまたは複数のフィルタ処理パラメータ、あるいはそれらの組合せを備える。上記で説明した方法、装置、または非一時的コンピュータ可読媒体のいくつかの例では、少なくとも１つのチャネル占有メトリックは、ＲＳＳＩ測定値がＲＳＳＩ観測期間にわたってＲＳＳＩしきい値を上回る時間の割合を示す。
【００２４】
[0024]上記で説明した方法、装置、または非一時的コンピュータ可読媒体のいくつかの例では、少なくとも１つのチャネル占有メトリックは、ＲＳＳＩ観測期間にわたって平均ＲＳＳＩまたはフィルタ処理ＲＳＳＩのうちの少なくとも１つを備える。上記で説明した方法、装置、または非一時的コンピュータ可読媒体のいくつかの例では、ＲＳＳＩ観測期間は、物理レイヤがＲＳＳＩの測定値を報告する連続数のシンボルを備える。
【００２５】
[0025]上記で説明した方法、装置、または非一時的コンピュータ可読媒体のいくつかの例では、ＲＳＳＩ観測期間は、少なくとも１つのＲＳＳＩ測定期間を備える。上記で説明した方法、装置、または非一時的コンピュータ可読媒体のいくつかの例は、少なくとも１つのチャネル占有メトリックが、１つまたは複数のサービングセル、１つまたは複数の周波数内ネイバーセルについて報告することを備えると報告するためのプロセス、特徴、手段、または命令をさらに含み得る。
【００２６】
[0026]本開示の性質および利点のさらなる理解は、以下の図面を参照することによって実現され得る。添付の図面では、同様の構成要素または特徴は同じ参照ラベルを有し得る。さらに、同じタイプの様々な構成要素は、参照ラベルの後に、ダッシュと、同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００２７】
【図１】[0027]本開示の様々な態様による、共有スペクトルにおけるセルのための無線リソース管理（ＲＲＭ）測定および報告をサポートするワイヤレス通信システムの一例を示す図。
【図２】[0028]共有スペクトルにおけるセルのためのＲＲＭ測定および報告の様々な態様が採用され得るワイヤレス通信環境の一例を示す図。
【図３】[0029]本開示の様々な態様による、共有スペクトルにおけるセルのためのＲＲＭ測定および報告のための拡張を示す流れ図。
【図４Ａ】[0030]本開示の様々な態様による、共有スペクトルにおけるセルのための周波数間ＲＲＭ報告イベントトリガリングを示す例示的な図。
【図４Ｂ】本開示の様々な態様による、共有スペクトルにおけるセルのための周波数間ＲＲＭ報告イベントトリガリングを示す例示的な図。
【図５】[0031]本開示の様々な態様による、共有スペクトルにおけるセルのためのＲＲＭ測定および報告のための発見基準信号（ＤＲＳ）測定タイミング構成（ＤＭＴＣ）ウィンドウの例示的な図。
【図６】[0032]本開示の様々な態様による、共有スペクトルにおけるセルのためのＲＲＭ測定および報告の測定ギャップの例示的な図。
【図７】[0033]本開示の様々な態様による、共有スペクトルネイバーセル報告におけるセルのための検出されたタイミングオフセットの例示的な図。
【図８】[0034]本開示の様々な態様による、共有スペクトルにおけるセルのためのＲＲＭ測定および報告のための受信信号強度インジケータ（ＲＳＳＩ）測定値の例示的な図。
【図９】[0035]本開示の様々な態様による、共有スペクトルにおけるセルのためのＲＲＭ測定および報告をサポートするワイヤレスデバイスのブロック図。
【図１０】本開示の様々な態様による、共有スペクトルにおけるセルのためのＲＲＭ測定および報告をサポートするワイヤレスデバイスのブロック図。
【図１１】本開示の様々な態様による、共有スペクトルにおけるセルのためのＲＲＭ測定および報告をサポートするワイヤレスデバイスのブロック図。
【図１２】[0036]本開示の様々な態様による、共有スペクトルにおけるセルのためのＲＲＭ測定および報告をサポートするユーザ機器（ＵＥ）を含むシステムのブロック図。
【図１３】[0037]本開示の様々な態様による、共有スペクトルにおけるセルのためのＲＲＭ測定および報告をサポートする基地局を含むシステムのブロック図。
【図１４】[0038]本開示の様々な態様による、共有スペクトルにおけるセルのためのＲＲＭ測定および報告の方法を示す図。
【図１５】本開示の様々な態様による、共有スペクトルにおけるセルのためのＲＲＭ測定および報告の方法を示す図。
【図１６】本開示の様々な態様による、共有スペクトルにおけるセルのためのＲＲＭ測定および報告の方法を示す図。
【図１７】本開示の様々な態様による、共有スペクトルにおけるセルのためのＲＲＭ測定および報告の方法を示す図。
【図１８】本開示の様々な態様による、共有スペクトルにおけるセルのためのＲＲＭ測定および報告の方法を示す図。
【発明を実施するための形態】
【００２８】
[0039]説明する特徴は、共有周波数スペクトル帯域におけるセルのための無線リソース管理（ＲＲＭ）測定および報告のための改善されたシステム、方法、または装置に概して関係する。共有スペクトルセルは、専用スペクトル（たとえば、ライセンス支援アクセス（ＬＡＡ）など）において１次セル（ＰＣｅｌｌ）で構成されたユーザ機器（ＵＥ）によってキャリアアグリゲーション（ＣＡ）構成で使用され得る。共有スペクトルセルは、ＵＥによる使用のために構成された共有スペクトル中に２次セル（ＳＣｅｌｌ）を含む。追加または代替として、共有スペクトル中の周波数は、２次セルのために現在使用されていないかまたはＵＥによる使用のために構成されていないセルに関連付けられ得る。したがって、共有スペクトルセルという用語は、ＵＥのための通信のために現在構成されていないセルに関連付けられた、構成されたサービングセルおよび周波数を含むように広く解釈されるべきである。本明細書で使用する共有スペクトルまたは共有周波数スペクトル帯域は、免許不要であるかまたは複数の事業者によって共有される（たとえば、複数の事業者に認可される、優先事業者に認可されるが他の事業者によって日和見的に共有される、など）スペクトルを指す。
【００２９】
[0040]場合によっては、共有スペクトル帯域は、デバイス製造業者間の規定または同意によって、複数のチャネルに分割されることがあり、ここで、各チャネルは、あらかじめ定義された帯域幅（たとえば、２０ＭＨｚなど）を有し得る。共有チャネル（たとえば、共有周波数スペクトル帯域のチャネル）上で送信する前に、基地局またはＵＥは、共有チャネルが利用可能であるかどうかを決定するためにＣＣＡ手順を実施し得る。チャネルが利用可能であると基地局またはＵＥが決定した場合、それは、チャネルを予約するためにプリアンブル信号を送信し得る。他のデバイスは、プリアンブルまたは送信を検出し、チャネルがクリアになるまでチャネル上で送信するのをバックオフし得る。そのような手順はリッスンビフォアトーク（ＬＢＴ）手順と呼ばれることがある。チャネル選択は、共有周波数スペクトル帯域において通信に使用するためのチャネルを識別するための手順を概して指す。
【００３０】
[0041]共有スペクトルにおいて構成されたＳＣｅｌｌのＲＲＭ測定値は、（たとえば、認可周波数スペクトル帯域におけるＰＣｅｌｌのフレームタイミングに対して）構成されたＤＲＳ測定タイミング構成（ＤＭＴＣ）ウィンドウ内の構成された位置において（ＬＢＴに従って）生じるＤＲＳに主に基づく。アクティブにされたサービングセルの場合、ＤＲＳ測定値は、ＵＥによって受信されるデータバースト中に、場合によっては他の基準信号（ＲＳ）（たとえば、復調基準信号（ＤＭＲＳ）、セル固有基準信号（ＣＲＳ）、チャネル状態情報基準信号（ＣＳＩ−ＲＳ）など）と組み合わされ得る。
【００３１】
[0042]周波数ｆ１が周波数ｆ２よりも良いオフセットになるときにトリガされるように構成された測定イベントを利用してチャネル選択を改善するための技法について説明する。測定イベントのために構成された周波数ｆ１およびｆ２は、構成されたＳＣｅｌｌ、共有スペクトル中の候補セル、または他の周波数チャネルに関連付けられ得る。共有スペクトルセルのための周波数間イベントトリガリングは、共有スペクトルセルを利用するＵＥのためのチャネル選択をｅＮＢが改善することを可能にし得る。
【００３２】
[0043]共有スペクトルのための周波数間および周波数内ネイバーセル測定および報告のための技法について説明する。いくつかの例では、周波数間測定ギャップが、（たとえば、非ＬＡＡセルに影響を及ぼすことなしに）１つまたは複数の構成されたＬＡＡ  ＳＣｅｌｌに適用され得る。測定ギャップは、自律的に実施されるか、（たとえば、既知のデータバーストギャップ中になど）ベストエフォートベースで実施されるか、またはサービングｅＮＢによって構成され得る。周波数内ネイバーセルについての探索が、探索期間またはウィンドウ持続時間に従って構成され得るＤＭＴＣウィンドウ中に実施され得る。拡張ＤＭＴＣウィンドウは、探索ウィンドウをある一定の間隔で拡張するように構成され得る。拡張ＤＭＴＣウィンドウは、周期的に実施されるように構成され得るか、またはサービングｅＮＢから要求を受信したときに実施され得る。
【００３３】
[0044]共有スペクトルにおけるセルについての受信電力の指示（たとえば、受信信号強度インジケータ（ＲＳＳＩ）など）を報告するための構成のための技法について説明する。ＲＳＳＩ報告は、ＲＳＳＩ観測期間、ＲＳＳＩ測定期間、またはＲＳＳＩしきい値に従って構成され得る。ＲＳＳＩ報告は、ＲＳＳＩ観測期間のＲＳＳＩしきい値を上回ったＲＳＳＩ測定値の数または割合を示し得る、平均またはフィルタ処理（たとえば、フィルタ処理された無限インパルス応答（ＩＩＲ）などの）ＲＳＳＩまたはＲＳＳＩプロファイル（たとえば、チャネル占有）を報告することを含み得る。
【００３４】
[0045]共有スペクトルにおけるネイバーセルについての拡張報告のための技法について説明する。いくつかの例では、ネイバーセルについての報告は、ネイバーセルについて検出されたダウンリンクタイミングオフセットに基づき得る。たとえば、検出されたタイミングオフセットはネイバーセルについて報告され得るか、またはネイバーセルはタイミングオフセットに従ってグループ化され得る。グループ化は、ＰＣｅｌｌからの検出されたタイミングオフセットと、構成されたタイミングオフセットしきい値とに基づき得るか、またはネイバーセルは、１次コンポーネントキャリア（たとえば、専用スペクトルにおける候補ＰＣｅｌｌなど）に対する相対タイミングオフセットに従ってグループ化され得る。説明する報告技法は、（たとえば、同じパブリックランドモバイルネットワーク（ＰＬＭＮ）に関連付けられるなどして）コロケートされているかまたは同じ展開からであり得るセルを共有スペクトル中で識別するのを支援し得る。
【００３５】
[0046]本開示の態様について、最初に、ワイヤレス通信システムのコンテキストにおいて説明する。次いで、共有周波数スペクトルにおけるセルを使用して（たとえば、ＬＡＡ動作などにおいて）動作するＬＴＥ／ＬＴＥ−Ａシステムの特定の例について説明する。本開示のこれらおよび他の態様は、共有スペクトルにおけるセルのためのＲＲＭ測定および報告に関係する装置図、システム図、およびフローチャートによってさらに示され、それらを参照しながら説明される。
【００３６】
[0047]図１は、本開示の様々な態様による、共有スペクトルにおけるセルのためのＲＲＭ測定および報告をサポートするワイヤレス通信システム１００の一例を示す。ワイヤレス通信システム１００は、基地局１０５と、少なくとも１つのユーザ機器（ＵＥ）１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通して、コアネットワーク１３０とインターフェースする。基地局１０５は、ＵＥ１１５との通信のための無線構成およびスケジューリングを実施し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いに直接または間接的に（たとえば、コアネットワーク１３０を通して）通信し得る。
【００３７】
[0048]基地局１０５は、１つまたは複数の基地局アンテナを介してＵＥ１１５とワイヤレス通信し得る。基地局１０５の各々は、それぞれの地理的カバレージエリア１１０に通信カバレージを与え得る。ワイヤレス通信システム１００は、異なるタイプの基地局１０５（たとえば、マクロセル基地局またはスモールセル基地局）を含み得る。異なる技術のための重複する地理的カバレージエリア１１０があり得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。
【００３８】
[0049]ワイヤレス通信システム１００のいくつかの例では、基地局１０５またはＵＥ１１５は、基地局１０５とＵＥ１１５との間の通信品質と信頼性とを改善するためにアンテナダイバーシティ方式を採用するために、複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００３９】
[0050]ワイヤレス通信システム１００は同期動作または非同期動作をサポートし得る。同期動作の場合、基地局１０５は同様のフレームタイミングを有し得、異なる基地局１０５からの送信は時間的にほぼ整合され得る。非同期動作の場合、基地局１０５は異なるフレームタイミングを有し得、異なる基地局１０５からの送信は時間的に整合されないことがある。本明細書で説明する技法は同期動作または非同期動作のいずれにも使用され得る。
【００４０】
[0051]様々な開示される例のうちのいくつかに適応し得る通信ネットワークは、階層化プロトコルスタックに従って動作するパケットベースネットワークであり得、ユーザプレーン中のデータはインターネットプロトコル（ＩＰ）に基づき得る。無線リンク制御（ＲＬＣ）レイヤは、論理チャネルを介して通信するためにパケットセグメンテーションおよびリアセンブリを実施し得る。媒体アクセス制御（ＭＡＣ）レイヤは、優先度処理と、トランスポートチャネルへの論理チャネルの多重化とを実施し得る。ＭＡＣレイヤはまた、リンク効率を改善するためにＭＡＣレイヤにおいて再送信を行うためにハイブリッド自動再送要求（ＨＡＲＱ）を使用し得る。制御プレーンでは、無線リソース制御（ＲＲＣ）プロトコルレイヤは、ＵＥ１１５と基地局１０５との間のＲＲＣ接続の確立と構成と維持とを行い得る。ＲＲＣプロトコルレイヤはまた、ユーザプレーンデータのための無線ベアラのコアネットワーク１３０サポートのために使用され得る。物理（ＰＨＹ）レイヤにおいて、トランスポートチャネルは物理チャネルにマッピングされ得る。
【００４１】
[0052]いくつかの例では、ワイヤレス通信システム１００はＬＴＥ／ＬＴＥアドバンスト（ＬＴＥ−Ａ）ネットワークである。ＬＴＥ／ＬＴＥ−Ａネットワークでは、発展型ノードＢ（ｅＮＢ）という用語は、概して、基地局１０５について説明するために使用され得、ＵＥという用語は、概して、ＵＥ１１５について説明するために使用され得る。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。ワイヤレス通信システム１００は、異なるタイプのｅＮＢが様々な地理的領域にカバレージを与える異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連付けられたキャリアまたはコンポーネントキャリア、あるいはキャリアまたは基地局のカバレージエリア（たとえば、セクタなど）について説明するために使用され得る。
【００４２】
[0053]ワイヤレスネットワークにアクセスすることを試みるＵＥ１１５は、基地局１０５からの１次同期信号（ＰＳＳ）を検出することによって初期セル探索を実施し得る。ＰＳＳは、スロットタイミングの同期を可能にし得、物理レイヤ識別情報値を示し得る。ＵＥ１１５は、次いで、２次同期信号（ＳＳＳ）を受信し得る。ＳＳＳは、無線フレーム同期を可能にし得、セルを識別するための物理レイヤ識別情報値と組み合わされ得る、セル識別情報値を与え得る。ＳＳＳはまた、複信モードおよびサイクリックプレフィックス長の検出を可能にし得る。ＰＳＳとＳＳＳの両方は、それぞれ、キャリアの中心の６２個と７２個のサブキャリア中にあり得る。場合によっては、ＰＳＳ、ＳＳＳ、およびチャネル推定のためのＣＲＳなどの他の信号は、エネルギーを節約するかまたはセル間干渉を低減するために、低減された周期性送信スケジュールに従って構成され得る。そのような構成はＤＲＳ構成として知られていることがある。
【００４３】
[0054]場合によっては、ワイヤレス通信ネットワーク１００は、カバレージエリア１１０が１つまたは複数のマクロ基地局１０５のカバレージエリア１１０と重複し得るスモールセルを含み得る。場合によっては、スモールセルは、高いユーザ需要をもつエリア中に、またはマクロ基地局１０５によって十分にカバーされていないエリア中に追加され得る。たとえば、スモールセルは、ショッピングセンター中に、または信号送信が地形または建築物によってブロックされるエリア中に位置し得る。場合によっては、スモールセルは、負荷が高いとき、マクロ基地局１０５がトラフィックをオフロードすることを可能にすることによってネットワーク性能を改善し得る。ラージセルとスモールセルとの両方を含むネットワークは、異種ネットワークとして知られ得る。異種ネットワークは、限定加入者グループ（ＣＳＧ）として知られる限定グループにサービスを提供し得るホーム発展型ノードＢ（ＨｅＮＢ）をも含み得る。たとえば、オフィスビルは、建築物の占有者のみが使用するためのスモールセルを含み得る。場合によっては、異種ネットワークは、同種ネットワークよりも複雑なネットワーク計画および干渉緩和技法を伴い得る。
【００４４】
[0055]ワイヤレス通信システム１００は、複数のセルまたはキャリア上での動作、ＣＡまたはマルチキャリア動作と呼ばれることがある特徴をサポートし得る。キャリアは、コンポーネントキャリア（ＣＣ）、レイヤ、チャネルなどと呼ばれることもある。「コンポーネントキャリア」という用語は、ＣＡ動作においてＵＥによって利用される複数のキャリアの各々を指すことがあり、システム帯域幅の他の部分とは別個であり得る。たとえば、コンポーネントキャリアは、独立して、または他のコンポーネントキャリアと組み合わせて利用されることが可能である、比較的狭い帯域幅のキャリアであり得る。各コンポーネントキャリアは、ロングタームエボリューション（ＬＴＥ）規格のリリース８またはリリース９に基づく分離キャリアと同じ能力を与え得る。複数のコンポーネントキャリアは、より大きい帯域幅と、たとえば、より高いデータレートとをいくつかのＵＥ１１５に与えるために、アグリゲートされるかまたは同時に利用されることがある。したがって、個別のコンポーネントキャリアは、レガシーＵＥ１１５（たとえば、ＬＴＥリリース８またはリリース９を実装するＵＥ１１５）との後方互換性があり得るが、他のＵＥ１１５（たとえば、リリース８／９後のＬＴＥバージョンを実装するＵＥ１１５）は、マルチキャリアモードにおいて複数のコンポーネントキャリアを用いて構成され得る。ＤＬに使用されるキャリアはＤＬ  ＣＣと呼ばれることがあり、ＵＬに使用されるキャリアはＵＬ  ＣＣと呼ばれることがある。ＵＥ１１５は、ＣＡのために、複数のＤＬ  ＣＣと１つまたは複数のＵＬ  ＣＣとで構成され得る。各キャリアは、制御情報（たとえば、基準信号、制御チャネルなど）、オーバーヘッド情報、データなどを送信するために使用され得る。ＵＥ１１５は、複数のキャリアを利用して単一の基地局１０５と通信し得、また、異なるキャリア上で同時に複数の基地局と通信し得る。ＵＥ１１５は、ＣＡのために、複数のＤＬ  ＣＣと１つまたは複数のＵＬ  ＣＣとで構成され得る。ＣＡは、周波数分割複信（ＦＤＤ）コンポーネントキャリアと時分割複信（ＴＤＤ）コンポーネントキャリアの両方を用いて使用され得る。
【００４５】
[0056]基地局１０５の各セルは、ＤＬ  ＣＣまたはＴＤＤ  ＣＣであり得るＣＣを含む。セルは、ＦＤＤ動作においてＵＬ  ＣＣを含み得る。基地局１０５のための各サービングセルのカバレージエリア１１０は異なり得る（たとえば、異なる周波数帯域上のＣＣは異なる経路損失を経験し得る）。いくつかの例では、１つのキャリアは、ＰＣｅｌｌによってサービスされ得るＵＥ１１５のための、１次キャリアまたは１次コンポーネントキャリア（ＰＣＣ）として指定される。ＰＣｅｌｌは、ＵＥごとに上位レイヤ（たとえば、ＲＲＣなど）によって半静的に構成され得る。物理アップリンク制御チャネル（ＰＵＣＣＨ）上で送信される、あるアップリンク制御情報（ＵＣＩ）、たとえば、肯定応答（ＡＣＫ）／否定応答（ＮＡＣＫ）、チャネル品質インジケータ（ＣＱＩ）、およびスケジューリング情報は、ＰＣｅｌｌによって搬送される。追加のキャリアは、ＳＣｅｌｌによってサービスされ得る、２次キャリア、または２次コンポーネントキャリア（ＳＣＣ）として指定され得る。ＳＣｅｌｌは、同様に、ＵＥごとに半静的に構成され得る。いくつかの場合には、ＳＣｅｌｌは、ＰＣｅｌｌと同じ制御情報を含まないかまたはそれを送信するように構成されないことがある。他の場合には、１つまたは複数のＳＣｅｌｌは、ＰＵＣＣＨを搬送するために指定され得、ＳＣｅｌｌは、関連するＵＬ制御情報を搬送するためにどのＣＣが使用されるかに基づいてＰＵＣＣＨグループに編成され得る。いくつかのワイヤレスネットワークは、多数のキャリア（たとえば、５個と３２個との間のキャリア）、共有スペクトルにおける動作、または拡張ＣＣの使用に基づく拡張ＣＡ動作を利用し得る。
【００４６】
[0057]場合によっては、構成されたＳＣｅｌｌは、一次キャリア（たとえば、ＰＣｅｌｌなど）を使用する構成セルによって、個々のＵＥ１１５に関してアクティブ化および非アクティブ化される。たとえば、構成されたＳＣｅｌｌに関するアクティブ化および非アクティブ化コマンドはＭＡＣシグナリング中で搬送され得る。ＳＣｅｌｌが非アクティブ化されたとき、ＵＥ１１５は、ＳＣｅｌｌに関する制御情報を監視する必要がなく、対応するＤＬ  ＣＣを受信する必要がなく、対応するＵＬ  ＣＣ中で送信することができず、またＣＱＩ測定を実施することも必要とされない。ＳＣｅｌｌの非アクティブ化時に、ＵＥは、ＳＣｅｌｌに関連付けられたすべてのＨＡＲＱバッファをフラッシュし得る。反対に、ＳＣｅｌｌがアクティブであるとき、ＵＥ１１５は、ＳＣｅｌｌに関する制御情報および／またはデータ送信を受信し、ＣＱＩ測定を実施することが可能であることが予想される。アクティブ化／非アクティブ化機構は、ＭＡＣ制御要素と非アクティブ化タイマーの組合せに基づく。ＭＡＣ制御要素は、ＳＣｅｌｌが個々にアクティブ化および非アクティブ化され得、単一のアクティブ化／非アクティブ化コマンドがＳＣｅｌｌのサブセットをアクティブ化／非アクティブ化することができるように、ＳＣｅｌｌの個々のアクティブ化および非アクティブ化のためのビットマップを搬送する。ＳＣｅｌｌごとに１つの非アクティブ化タイマーが維持されるが、ＲＲＣによってＵＥごとに１つの共通の値が構成される。
【００４７】
[0058]いくつかの例では、ＵＥ１１５は、専用スペクトルにおいてＰＣｅｌｌを、および共有スペクトルにおいて１つまたは複数のＳＣｅｌｌを使用してＣＡのために構成され得る。他のデバイスも共有スペクトルにおいて動作していることがある。例として、図１は、共有スペクトルにおいて通信リンク１６５を介してＷｉ−Ｆｉ（登録商標）局（ＳＴＡ）１５５と通信しているＷｉ−Ｆｉアクセスポイント（ＡＰ）１５０から構成されるネットワークを示している。ＵＥ１１５またはｅＮＢ１０５は、共有スペクトルにおける送信のためにＬＢＴ手順を利用し得る。これらのデバイスは、チャネルが利用可能であるかどうかを決定するために通信する前にＣＣＡを実施し得る。ＣＣＡは、何らかの他のアクティブ送信があるかどうかを決定するためのエネルギー検出およびプリアンブル検出手順を含み得る。
【００４８】
[0059]図２は、本開示の様々な態様が採用され得るワイヤレス通信環境２００の一例を示す。ワイヤレス通信環境２００は、専用スペクトル（たとえば、認可スペクトル）において１つまたは複数のキャリアを、および共有スペクトルにおいて１つまたは複数の２次キャリアを使用してＵＥ１１５との通信が可能なスモールセルｅＮＢであり得る、ｅＮＢ１０５−ａおよびｅＮＢ１０５−ｂを含み得る。ワイヤレス通信環境２００はまた、共有スペクトルにおいてＷｉ−Ｆｉ通信リンク１６５−ａを介して通信し得る、Ｗｉ−Ｆｉアクセスポイント１５０−ａおよびＳＴＡ１５５−ａなど、共有スペクトル上で動作する他のデバイスを含み得る。ワイヤレス通信環境２００は、たとえば、図１のワイヤレス通信システム１００の態様を示し得る。明快のために、説明するシステムおよび技法は、共有スペクトルにおいて動作するセルについて論じる。しかしながら、説明する技法は、事前協調なしのＬＢＴ手順およびアクセスが従来の専用スペクトルＲＲＭ手順への問題を生じ得る干渉プロファイルを生成する他のスペクトル環境に適用可能であることを理解されたい。
【００４９】
[0060]図２に示されているように、ＵＥ１１５−ａは、ｅＮＢ１０５−ａと通信していることがあり、専用スペクトルにおいてＰＣｅｌｌ２２５−ａを、および共有スペクトルにおいてＳＣｅｌｌ２３０−ａを使用してＣＡのためにｅＮＢ１０５−ａによって構成され得る。ＳＣｅｌｌ２３０−ａは共有スペクトルセルであり得、ＤＲＳ送信２４０−ａのためのＤＲＳ構成を有し得る。ｅＮＢ１０５−ａは、ＵＥ１１５−ｂなど、追加のＵＥ１１５のためのサービングｅＮＢであり得る。同様に、ｅＮＢ１０５−ｂは、ＳＣｅｌｌ２３０−ａと同じ周波数または異なる周波数上でＬＡＡのために構成され得るＰＣｅｌｌ２２５−ｂおよびＳＣｅｌｌ２３０−ｂを介してＵＥ１１５−ｃと通信していることがある。ＳＣｅｌｌ２３０−ｂは、ＤＲＳ送信２４０−ｂのためのＤＲＳ構成を有し得る。いくつかの例では、ｅＮＢ１０５−ａおよび１０５−ｂは、（たとえば、他の周波数上など）ＬＡＡでの使用のために共有周波数帯域において追加のセルをサポートし得、それらのセルはＤＲＳ構成にそれぞれ関連付けられ得る。本明細書で説明する技法は、専用スペクトルにおいてＰＣｅｌｌを使用し、１つまたは複数のｅＮＢ１０５によってサポートされる免許不要すなわち共有スペクトルにおいて任意の数のセルを使用する展開に適用され得る。
【００５０】
[0061]ＵＥ１１５−ａは、ＳＣｅｌｌ２３０−ａ上でＤＲＳ送信の測定のためにＤＭＴＣウィンドウで構成され得る。ＳＣｅｌｌ２３０−ａが非アクティブ化されたとき、ＵＥ１１５−ａは、（ＬＢＴに従って）ＳＣｅｌｌ２３０−ａのためにＤＲＳ構成によって構成されたＤＲＳ時間位置においてＤＭＴＣウィンドウ中にＤＲＳ送信について監視する。ＳＣｅｌｌ２３０−ａがアクティブ化されたとき、ＵＥ１１５−ａは、ＤＭＴＣウィンドウ中にＤＲＳ送信について監視し、また、ｅＮＢ１０５−ａからのデータ送信中に存在する他の基準信号（たとえば、ＤＭＲＳ、ＣＲＳ、ＣＳＩ−ＲＳなど）を使用し得る。
【００５１】
[0062]ＳＣｅｌｌ２３０−ａのためのＤＲＳ送信２４０−ａと、ＳＣｅｌｌ２３０−ｂのためのＤＲＳ送信２４０−ｂは異なるＤＲＳ構成を有し得るので、ＵＥ１１５−ａは、ＳＣｅｌｌ２３０−ｂに気づいていないことがあるか、または（たとえば、ハンドオーバなど）ＲＲＭ手順のためにＳＣｅｌｌ２３０−ｂについてＲＲＭ測定を行うことが不可能であり得る。さらに、ｅＮＢ１０５−ａおよび１０５−ｂは、１つまたは複数の共有周波数帯域の異なる周波数上でＬＡＡに従って動作し得る追加のＳＣｅｌｌ２３０をサポートし得る。したがって、ＵＥ１１５−ａは、共有スペクトルを含むワイヤレス通信環境２００のリソースの効果的なＲＲＭのために十分なＲＲＭ測定情報を与えないことがある。
【００５２】
[0063]ｅＮＢ１０５またはＵＥ１１５を含む図１および図２のシステムは、ＬＡＡ展開のＲＲＭを支援するために、拡張ＲＲＭ測定および報告のために構成され得る。ＲＲＭ測定および報告拡張は、セル間の比較的受信信号強度／品質または受信電力に基づく報告イベントトリガリングを含む。ネイバーセルＲＲＭ測定は、周波数内セル測定ではＤＭＴＣウィンドウまたは拡張ＤＭＴＣウィンドウにわたる、または周波数間セル測定ではＳＣｅｌｌ測定ギャップにわたる探索によって改善され得る。共有スペクトルにおけるセルのＲＲＭ報告は、ＰＣｅｌｌまたは他のＰＣＣ候補セルに対するネイバーセルのタイミングオフセットに従ってネイバーセルを報告することによって改善され得る。ＲＲＭ報告はまた、構成されたＳＣｅｌｌまたはＳＣＣ候補についての受信電力（たとえば、ＲＳＳＩなど）を報告することによって改善され得る。受信電力は、観測期間にわたって報告され得、報告される周波数について干渉プロファイルを示し得る。
【００５３】
[0064]図３は、本開示の様々な態様による、共有スペクトルにおけるセルのためのＲＲＭ測定および報告のための拡張を示す流れ図３００を示す。流れ図３００では、ＵＥ１１５−ａは、ｅＮＢ１０５−ａによってサービスされ得、専用スペクトルにおいてＰＣｅｌｌ２２５−ａを、および共有スペクトルにおいてＳＣｅｌｌ２３０−ａを使用してＣＡのためにｅＮＢ１０５−ａによって構成され得る。たとえば、流れ図３００は、図２のワイヤレス通信環境２００における例示的なメッセージおよび信号フローを示し得る。
【００５４】
[0065]ＵＥ１１５−ａは、共有周波数帯域の１つまたは複数の周波数のＲＲＭ測定のための構成設定またはパラメータを含み得るＲＲＭ測定構成３１０をｅＮＢ１０５−ａから受信し得る。
【００５５】
[0066]ＲＲＭ測定構成３１０は、共有スペクトルの第１のセルまたは周波数と第２のセルまたは周波数とに関連する例示的なＲＲＭ測定イベント（たとえば、新しいイベントＡ７）を構成し得る。ＲＲＭ測定イベントは、第１のセルまたは周波数がオフセット＋第２のセルまたは周波数よりも大きくなるときにトリガされ得る。ＲＲＭ測定イベントは、構成されたＳＣｅｌｌまたは候補ＳＣＣの一方または両方のために構成され得る。ＲＲＭ測定イベントは、基準信号量（たとえば、基準信号受信電力（ＲＳＲＰ）、基準信号受信品質（ＲＳＲＱ）、など）または受信電力（たとえば、ＲＳＳＩなど）の比較のために構成され得る。
【００５６】
[0067]周波数内ＲＲＭ測定のためのＤＭＴＣウィンドウまたは拡張ＤＭＴＣウィンドウがＲＲＭ測定構成３１０によって構成され得る。ＤＭＴＣウィンドウまたは拡張ＤＭＴＣウィンドウは、探索期間とウィンドウ持続時間とを使用して構成され得る。拡張ＤＭＴＣ探索期間は整数個のＤＭＴＣ期間として与えられ得る。ＤＭＴＣウィンドウまたは拡張ＤＭＴＣウィンドウは、ＤＭＴＣウィンドウまたは拡張ＤＭＴＣウィンドウ全体にわたってＤＲＳについての探索（たとえば、構成されたウィンドウにわたってＤＲＳについての連続監視）を可能にするように構成され得る。
【００５７】
[0068]ＲＲＭ測定構成３１０は、周波数間ＲＲＭ測定の測定ギャップを示し得る。測定ギャップは、他の構成されたセル（たとえば、ＰＣｅｌｌなど）に影響を及ぼすことなしに、構成されたセルのサブセットに適用され得る。たとえば、測定ギャップは、所与の周波数帯域において構成されたＳＣｅｌｌに適用され得る。
【００５８】
[0069]共有スペクトルにおいて同期または非同期ネイバーセルを報告およびグループ化するための報告モードおよびタイミングオフセットしきい値がＲＲＭ測定構成３１０によって示され得る。報告モードは、（たとえば、タイミングオフセットしきい値内などの）同期セルを報告すべきか、非同期セルを報告すべきか、同期セルと非同期セルの両方を報告すべきか、タイミングオフセットに従ってセルをグループ化すべきかどうか、またはネイバーセルについて検出されたタイミングオフセットを報告すべきかどうかを含む。
【００５９】
[0070]ＲＲＭ測定構成３１０は、共有スペクトルにおいてセルについて受信信号強度報告を構成し得る。受信信号強度報告の構成は、共有スペクトルにおいてセル（たとえば、構成されたＳＣｅｌｌおよび候補ＳＣＣ）上で受信電力を測定するための観測または測定期間を構成することを含み得る。たとえば、受信信号強度報告のための構成は、ＲＳＳＩ観測期間、ＲＳＳＩ測定期間、ＲＳＳＩしきい値、またはフィルタ処理パラメータを含み得る。構成は、干渉プロファイルまたはチャネル占有の報告（たとえば、ＲＳＳＩ測定値がＲＳＳＩしきい値を上回る時間の割合など）を示し得る。
【００６０】
[0071]ｅＮＢ１０５−ａは、ＤＲＳ送信（たとえば、ＤＲＳ送信２４０−ａ）、ならびにデータ送信とともに送られる他の基準信号（たとえば、ＤＭＲＳ、ＣＲＳ、ＣＳＩ−ＲＳなど）を含み得る、基準信号３４０−ａを送信し得る。同様に、ｅＮＢ１０５−ｂは基準信号３４０−ｂを送信し得る。
【００６１】
[0072]ＵＥ１１５−ａは、ＲＲＭ測定構成３１０に基づいてＲＲＭ測定３２０を実施し得る。たとえば、ＵＥ１１５−ａは、サービングセルのＲＲＭ測定、（たとえば、ＤＭＴＣウィンドウまたは拡張ＤＭＴＣウィンドウに従う）周波数内ネイバーセルのＲＲＭ測定、（たとえば、測定ギャップに従う）周波数間ネイバーセルのＲＲＭ測定、またはＲＳＳＩ測定を実施し得る。ＵＥ１１５−ａは、ＲＲＭ測定に基づいて、構成された測定イベントがトリガされるかどうかを決定し得る。
【００６２】
[0073]ＵＥ１１５−ａは、ＲＲＭ測定に基づいてｅＮＢ１０５−ａにＲＲＭ報告メッセージ３３０を送り得る。たとえば、ＵＥ１１５−ａは、周波数内および周波数間ネイバーセルについての測定値を報告し得、報告モードに従って（たとえば、タイミングオフセットなどに従って）ネイバーセルを報告し得る。
【００６３】
[0074]図４Ａおよび図４Ｂは、本開示の様々な態様による、共有スペクトルにおけるセルのための周波数間ＲＲＭ報告イベントトリガリングを示す例示的な図を示す。図４Ａは、共有スペクトル帯域４１０のセル４３０−ａ−１、４３０−ａ−２、４３０−ａ−３、．．．、４３０−ａ−ｎの例示的な図４００−ａを示している。各セル４３０は１つまたは複数のＳＣＣによって使用され得る（たとえば、周波数内ネイバーセルなど）。周波数間ＲＲＭ報告は、ＵＥ１１５のために構成され得、第２のセルの信号量よりも良くなっている第１のセルに関連する信号量によってトリガされる周波数間報告イベント（たとえば、新しいイベントＡ７など）を含み得る。第１および第２のセルは、ＵＥ１１５について、構成されたＳＣｅｌｌに対応し得るか、あるいは第１および第２のセルのうちの１つまたは複数は、ＵＥ１１５または別の周波数（たとえば、共有周波数帯域４１０の異なる周波数チャネルもしくは異なる周波数帯域）のためにＳＣｅｌｌとして現在構成されていない候補ＳＣＣであり得る。たとえば、新しいイベントＡ７は、周波数ｆ1における候補ＳＣＣの信号量（たとえば、ＲＳＲＰ、ＲＳＲＱ、ＲＳＳＩなど）が周波数ｆ2における構成されたＳＣｅｌｌよりも良くなるときにトリガされるように構成され得る。ＲＲＭ報告イベントは以下のときにトリガされ得る。
【００６４】
【数１】
2020195142.tif 000003
【００６５】
ここで、Ｍｅａｓf1およびＭｅａｓf2は測定された信号量値であり、Ｏf1およびＯf2はセル固有オフセットであり、Ｈｙｓｔは構成されたヒステリシス値であり、Ｏｆｆｓｅｔは報告イベントのための構成されたオフセットである。場合によっては、フィルタ処理が、比較された信号量Ｍｅａｓf1およびＭｅａｓf2に適用され得る。
【００６６】
[0075]図４Ｂは、構成された信号量に基づいてトリガされる周波数間ＲＲＭ報告イベントの例示的な図４００−ｂを示す。例示的な図４００−ｂでは、ＲＲＭ報告イベントは、第１のセル４４５の信号量がしきい値４５０だけ第２のセル４４０の信号量よりも良くなるとき４５５にトリガされるように構成され得る（たとえば、セル固有オフセットは０に設定され得る）。場合によっては、第１および第２のセルは、ＵＥのための構成されたＳＣｅｌｌ、候補ＳＣＣ、または（たとえば、共有スペクトル中の）他の周波数に対応し得る。
【００６７】
[0076]イベントは、ＲＳＳＩ、ＲＳＲＰ、またはＲＳＲＱなどの信号量に基づいてトリガされ得る。たとえば、ＲＳＳＩに基づいて第１のセルが第２のセルよりも良くなるときのイベントをトリガするために、測定された信号量はＲＳＳＩであるように構成され、第１の測定された周波数は第２のセルに対応するように構成され、第２の測定された周波数は第１のセルに対応するように構成される。このようにして、第２のセルのＲＳＳＩが第１のセルのＲＳＳＩ＋オフセットよりも大きくなるとき（より低いＲＳＳＩはより良いチャネル状態に対応する）、イベントはトリガされる。
【００６８】
[0077]追加または代替として、あるイベント（たとえば、新しいイベントＡ７）は、セル固有測定値に関連する信号量（たとえば、ＲＳＲＰ、ＲＳＲＱなど）を使用するように構成され得、第２のイベント（たとえば、新しいイベントＡ８）は、セルに関連しない信号量（たとえば、ＲＳＳＩなど）を使用するように構成され得る。この事例では、第２のイベントは、第２のセルの信号量が第１のセルの信号量−しきい値よりも小さい（たとえば、第２のセルの周波数が第１のセルの周波数よりもクリアである）ときにトリガされ得る。
【００６９】
[0078]図５は、本開示の様々な態様による、共有スペクトルにおけるセルのためのＲＲＭ測定および報告のためのＤＭＴＣウィンドウの例示的な図５００を示す。ＵＥ１１５は、ＤＭＴＣ期間５３０とＤＭＴＣウィンドウ持続時間５３５とに従って構成されたＤＭＴＣウィンドウ５２０中に、構成されたＳＣｅｌｌのためにＤＲＳ送信について探索するように構成され得る。構成されたＳＣｅｌｌは、ＤＭＴＣウィンドウ５２０中に（ＬＢＴに従って）構成された時間位置において行われる１つまたは複数のＤＲＳ送信５４０を有し得る。
【００７０】
[0079]ＵＥ１１５は、ＵＥ１１５が共有スペクトルの周波数内ネイバーセルについてその間に探索し得る、ＤＭＴＣウィンドウ５２０または拡張ＤＭＴＣウィンドウ５５０のために構成され得る。たとえば、ＤＭＴＣウィンドウ５２０または拡張ＤＭＴＣウィンドウ５５０中に、ＵＥ１１５は、ネイバーセルＮ１からのＤＲＳ送信５６０と、ネイバーセルＮ２からＤＲＳ送信５７０とを検出し得る。
【００７１】
[0080]拡張ＤＭＴＣウィンドウ５５０は、拡張ＤＭＴＣウィンドウ５５０の間のいくつかのＤＭＴＣ期間５３０を示す探索期間に従って構成され得る。したがって、ＵＥ１１５は、各ＤＭＴＣウィンドウ５２０について拡張ＤＭＴＣウィンドウ探索を実施しないことがある。拡張ＤＭＴＣウィンドウ５５０はまた、ＤＭＴＣ期間５３０と同程度に長くなるように構成され得るウィンドウ持続時間５５５に従って構成され得る。
【００７２】
[0081]追加または代替として、周波数内ネイバーセルについての探索は、ｅＮＢ１０５による要求時に実施され得る。たとえば、サービングｅＮＢ１０５は、実施されるべきネイバーセル探索についての要求を送り得、ＵＥは、その要求に従ってＤＲＳ送信について探索を実施し得る。要求された探索は、場合によっては、要求において指定された持続時間にわたって、またはウィンドウ持続時間５５５にわたって実施され得る。
【００７３】
[0082]図６は、本開示の様々な態様による、共有スペクトルにおけるセルのためのＲＲＭ測定および報告の測定ギャップの例示的な図６００を示す。図６は、ＰＣｅｌｌ２２５−ｃと、ＳＣｅｌｌ＿１  ２３０−ｃおよびＳＣｅｌｌ＿２  ２３０−ｄを含む１つまたは複数のＳＣｅｌｌとを含むサービングセルのセットを介した通信のために構成されたＵＥ１１５のための測定ギャップを示し得る。ＳＣｅｌｌ＿１  ２３０−ｃおよびＳＣｅｌｌ＿２  ２３０−ｄは共有周波数帯域中のセルであり得る。
【００７４】
[0083]ＬＡＡのための周波数間ＲＲＭ測定を実施するために、ＵＥ１１５は、ＵＥ１１５が１つまたは複数の他の周波数（たとえば、ＳＣＣ＿ｎ１  ６３０など）について（たとえば、ＤＲＳ送信または他の基準信号送信を検出するなどして）ＲＲＭ測定を実施し得る、測定ギャップ６２０を採用し得る。これらの１つまたは複数の他の周波数は、構成されたＳＣｅｌｌ（たとえば、ＳＣｅｌｌ＿１  ２３０−ｃおよびＳＣｅｌｌ＿２  ２３０−ｄ）と同じ帯域中にあり得るか、または場合によっては、異なる周波数帯域中にあり得る。測定ギャップ６２０中に、ＵＥ１１５は、サービングセルのセットのサブセット（たとえば、ＳＣｅｌｌ＿１  ２３０−ｃおよびＳＣｅｌｌ＿２  ２３０−ｄ）上では通信を中断するが、その間、サービングセルのセットの他のサブセット（たとえば、ＰＣｅｌｌ２２５−ｃ）上では通信し得る。いくつかの例では、測定ギャップ６２０は周波数帯域に関連し得る（たとえば、ギャップはその周波数帯域中の構成されたＳＣｅｌｌに適用される）。いくつかの例では、通信を中断することは、ある周波数範囲または帯域上での通信から異なる周波数範囲または帯域に無線周波数成分を切り替えることを含み得る。たとえば、ＵＥ１１５は、デュアル無線機（たとえば、複数のトランシーバ構成要素）を含み得、測定ギャップ６２０中に無線機のうちの１つを異なる周波数帯域または範囲に同調させ得る。
【００７５】
[0084]測定ギャップ６２０は、自律的ギャップであり得るか、既知のデータバーストギャップ中にあり得るか、または構成されたＬＡＡ測定ギャップであり得る。自律ギャップの場合、ＵＥ１１５は、ｅＮＢ１０５によって要求されるかまたはｅＮＢ１０５に通知することなしにギャップ中に周波数間ＲＲＭ測定を実施し得る。たとえば、ＵＥ１１５は、ギャップ中は、ＲＲＭ測定が優先権を取るべきであるように、周波数間ＲＲＭ測定の優先度が、可能なデータ送信の優先度よりも高いと決定し得る。場合によっては、自律的ギャップを実施すべきかどうかを決定することは、共有スペクトルにおけるセルについての前のＲＲＭ測定が取られたときからの時間期間、１つまたは複数の構成されたＬＡＡ  ＳＣｅｌｌの信号強度、あるいはアクティブなデータ接続の優先度に基づき得る。
【００７６】
[0085]ＵＥ１１５が１つまたは複数のＬＡＡ  ＳＣｅｌｌのためのデータバースト構成で構成された場合、ＲＲＭ測定はデータバースト中のギャップ中に実施され得る。たとえば、ＵＥ１１５は、１つまたは複数のＬＡＡ  ＳＣｅｌｌ上で半永続的にスケジュールされたデータバーストで構成され得、ＬＡＡ  ＳＣｅｌｌ上のデータバースト間の時間期間中に測定ギャップを実施することが可能であり得る。
【００７７】
[0086]ＬＡＡ測定ギャップは、ＲＲＭ測定構成（たとえば、図３のＲＲＭ測定構成３１０など）において受信されるパラメータに従って構成され得る。たとえば、ＵＥ１１５は、測定期間と測定持続時間とに従ってＬＡＡ周波数間測定ギャップのために構成され得る。ＬＡＡ周波数間測定ギャップはサービングセルのセットのサブセットに適用され得る。たとえば、ＬＡＡ周波数間測定ギャップは、すべての構成されたＬＡＡ  ＳＣｅｌｌまたは（たとえば、構成された周波数帯域内などの）構成されたＬＡＡ  ＳＣｅｌｌのサブセットに適用され得る。
【００７８】
[0087]共有スペクトルにおけるネイバーセルの報告は、ＰＣｅｌｌまたは他の検出された専用スペクトルＰＣＣのフレームタイミングに対するネイバーセルの検出されたタイミングオフセットに基づき得る。たとえば、ＰＣｅｌｌと検出されたＬＡＡ  ＳＣＣとの間の比較的小さい（たとえば、３０μｓ未満などの）タイミングオフセットは、ＬＡＡ  ＳＣＣがＰＣｅｌｌとコロケートされる可能性があることを示し得る。より大きいタイミングオフセットは、同じＰＬＭＮの非同期セルまたは異なるＰＬＭＮに関連するセルのいずれかを示し得る。
【００７９】
[0088]図７は、本開示の様々な態様による、ネイバー共有スペクトルセル報告のための検出されたタイミングオフセットの例示的な図７００示す。図７は、ＰＣｅｌｌ２２５−ｃとＳＣｅｌｌ２３０−ｅを含む１つまたは複数のＳＣｅｌｌとを含むサービングセルのセットを介した通信のために構成されたＵＥ１１５のためのネイバーセルの検出されたタイミングオフセットを示し得る。ＳＣｅｌｌ２３０−ｅは共有周波数帯域中のセルであり得る。ＵＥ１１５は、上記の技法（たとえば、測定ギャップ、拡張ＤＭＴＣウィンドウなど）に従って周波数間および周波数内セルのＲＲＭ測定を実施し得る。ＵＥ１１５は、検出されたネイバーセルのタイミングオフセットを検出し得、検出されたタイミングオフセットと、ＲＲＭ測定構成（たとえば、図３のＲＲＭ測定構成３１０など）において構成されたＲＲＭ報告モードとに従ってＲＲＭ報告を実施し得る。
【００８０】
[0089]いくつかの例では、ＲＲＭ報告モードは、検出されたタイミングオフセットと構成されたタイミングオフセットしきい値とに従って報告するための共有スペクトルのセルを識別する。たとえば、ＲＲＭ測定構成においてタイミングオフセットしきい値が受信され得、そのタイミングオフセットしきい値に基づいて、検出されたセルのサブセットが報告され得る。場合によっては、報告は、同期セルまたは非同期セルのみについて実施され得る。追加または代替として、同期セルと非同期セルの両方が報告され得、報告はタイミングオフセットによってセルをグループ化または識別し得る。たとえば、複数のタイミンググループが報告され得、各タイミンググループは、関連するタイミングオフセットウィンドウ内にあるセルを有する。
【００８１】
[0090]図７に示されているように、ＵＥ１１５は、ＵＥ１１５のための候補ＰＣｅｌｌであり得る、ＰＣＣ＿ｎ１  ７２５−ａおよびＰＣＣ＿ｎ２  ７２５−ｂを検出し得る。たとえば、ＰＣＣ＿ｎ１  ７２５−ａおよびＰＣＣ＿ｎ２  ７２５−ｂは、ＰＣｅｌｌ２２５−ｃと同じＰＬＭＮに関連する専用スペクトル中の周波数内または周波数間セルであり得る。ＵＥ１１５は、図７に示されている例では、それぞれ５０μｓと１０００μｓとであり得る、ＰＣｅｌｌ２２５−ｃのフレーム７１０に対する、ＰＣＣ＿ｎ１の７３５−ａと、ＰＣＣ＿ｎ１およびＰＣＣ＿ｎ２の７３５−ｂとのフレームタイミングオフセットを検出し得る。
【００８２】
[0091]ＵＥ１１５はまた、共有スペクトル中の周波数内または周波数間セルであり得る、ネイバーセルＳＣＣ＿ｎ１  ７３０−ａ、ＳＣＣ＿ｎ２  ７３０−ｂ、ＳＣＣ＿ｎ３  ７３０−ｃ、およびＳＣＣ＿ｎ４  ７３０−ｄを検出し得る。ＵＥ１１５は、ＳＣＣ＿ｎ１  ７３０−ａ、ＳＣＣ＿ｎ２  ７３０−ｂ、ＳＣＣ＿ｎ３  ７３０−ｃ、およびＳＣＣ＿ｎ４  ７３０−ｄについて、それぞれ、７３５−ｄ、７３５−ｅ、７３５−ｆ、および７３５−ｇのフレームタイミングオフセットを検出し得る。図７に示されている例では、フレームタイミングオフセット７３５−ｄ、７３５−ｅ、７３５−ｆ、および７３５−ｇは、それぞれ、６０μｓ、１０２０μｓ、５００μｓ、および５０００μｓであり得る。ＵＥ１１５は、ＳＣｅｌｌ２３０−ｅについて１μｓのフレームタイミングオフセットを検出し得る。
【００８３】
[0092]いくつかの例では、ＵＥ１１５は、同期または半同期グループにおいてＲＲＭのための識別されたセル（たとえば、互いのタイミングオフセットしきい値内の相対タイミングオフセットを有するセル）を報告し得る。たとえば、ＵＥ１１５は、ＳＣＣ＿ｎ１  ７３０−ａをＰＣＣ＿ｎ１  ７２５−ａと同期していると報告し、ＳＣＣ＿ｎ２  ７３０−ｂをＰＣＣ＿ｎ２  ７２５−ｂと同期していると報告し得る。ＵＥ１１５は、ＳＣＣ＿ｎ３  ７３０−ｃおよびＳＣＣ＿ｎ４  ７３０−ｄを共有スペクトル中の非同期セルとして報告し得る。グループ化は、報告されたネイバーセルが、場合によってはコロケートされるかあるいは共有スペクトルまたは候補ＰＣＣ中の他のセルと同じ展開（たとえば、同じＰＬＭＮなど）からであるかどうかをサービングｅＮＢに示し得る。
【００８４】
[0093]図８は、本開示の様々な態様による、共有スペクトルにおけるセルのためのＲＲＭ測定および報告のためのＲＳＳＩ測定値の例示的な図８００を示す。図８００は、セル（たとえば、ＳＣｅｌｌまたは候補ＳＣＣなど）のＲＳＳＩ８３０のプロットを示している。図８００からわかるように、共有スペクトル中のセルのＲＳＳＩ８３０は、専用スペクトル中の干渉プロファイルとはかなり異なるバースト的干渉プロファイルを示し得る。
【００８５】
[0094]ＵＥ１１５は、ＲＳＳＩ観測期間ｔRSSI_obs８４０、ＲＳＳＩ測定期間ｔRSSI_mp８５０、またはＲＳＳＩしきい値８６０に従ってセルのＲＳＳＩを報告するように（たとえば、図３のＲＲＭ測定構成３１０などを介して）構成され得る。ＵＥ１１５は、数百ミリ秒程度であり得るＲＳＳＩ観測期間ｔRSSI_obs８４０にわたって平均またはフィルタ処理（たとえば、レイヤ３フィルタ処理などされた）ＲＳＳＩを報告するように構成され得る。追加または代替として、ＵＥ１１５は、ＲＳＳＩ観測期間ｔRSSI_obs８４０にわたるＲＳＳＩしきい値８６０を上回っているセルのＲＳＳＩ測定値８５５の時間量または割合を示し得る、ＲＳＳＩプロファイルまたはチャネル占有を報告するように構成され得る。ＲＳＳＩプロファイルまたはチャネル占有は、共有周波数チャネルの他のユーザ（たとえば、Ｗｉ−Ｆｉデバイスなど）からの干渉のより良い指示を与え得る。
【００８６】
[0095]ＵＥ１１５は、共有周波数帯域において構成されたＳＣｅｌｌまたは構成されていない周波数チャネル（たとえば、候補ＳＣＣなど）のＲＳＳＩを報告するように構成され得る。構成されたＳＣｅｌｌの場合、ＵＥ１１５は、ＤＲＳ送信なしの時間期間中にＲＳＳＩ報告のための測定を実施し得る。これは、チャネル選択のために別の共有周波数チャネルについて報告されるＲＳＳＩとのより良い比較を与え得る。追加または代替として、ＵＥ１１５は、ＤＲＳ送信を含む時間期間の間にＲＳＳＩ測定を実施し得るが、ＲＳＳＩ測定処理のためにＳＣｅｌｌからＲＳＲＰを減算し得る。
【００８７】
[0096]図９は、本開示の様々な態様による、共有スペクトルにおけるセルのためのＲＲＭ測定および報告のために構成されたワイヤレスデバイス９００のブロック図を示す。ワイヤレスデバイス９００は、図１〜図８を参照しながら説明したＵＥ１１５の態様の一例であり得る。ワイヤレスデバイス９００は、受信機９０５、ＲＲＭ測定および報告マネージャ９１０、または送信機９１５を含み得る。ＲＲＭ測定および報告マネージャ９１０は、構成マネージャ９２０、測定マネージャ９２５、または報告マネージャ９３０を含み得る。ワイヤレスデバイス９００はまた、プロセッサを含み得る。これらの構成要素の各々は互いに通信していることがある。
【００８８】
[0097]受信機９０５は、パケット、ユーザデータ、または様々な情報チャネルに関連する制御情報（たとえば、制御チャネル、データチャネル、およびＬＡＡのためのＲＲＭ測定および報告に関係する情報など）などの受信機情報９３５を受信し得る。受信機情報９３５は、構成メッセージ９４０中でＲＲＭ測定および報告マネージャ９１０に、ならびにワイヤレスデバイス９００の他の構成要素に受け渡され得る。いくつかの例では、受信機９０５は、周波数内セルについて非周期的探索を実施するようにとの要求をサービングｅＮＢから受信し得る。
【００８９】
[0098]ＲＲＭ測定構成メッセージ９４０は、受信機９０５から構成マネージャ９２０に受け渡され得る。構成マネージャ９２０は、測定パラメータメッセージ９４５を測定マネージャ９２５に受け渡し得る。測定パラメータメッセージ９４５は、共有周波数帯域の１つまたは複数の周波数についてのＲＲＭ測定に関係する少なくとも１つのパラメータを含み得、測定マネージャ９２５は、測定パラメータメッセージ９４５に少なくとも部分的に基づいて、１つまたは複数の周波数について少なくとも１つの測定を実施し得る。測定マネージャ９２５の少なくとも１つの測定から決定されたチャネルパラメータメッセージ９５０が、次いで報告マネージャ９３０に受け渡され得る。報告マネージャ９３０は、次いで、報告メッセージ９５５を送信機９１５に送り得る。
【００９０】
[0099]送信機９１５は、ワイヤレスデバイス９００の他の構成要素から受信された送信情報９６０をシグナリングし得る。送信情報９６０は、測定値またはチャネル占有情報を含み得る。いくつかの例では、送信機９１５は、トランシーバマネージャにおいて受信機９０５とコロケートされ得る。送信機９１５は単一のアンテナを含み得るか、または送信機９１５は複数のアンテナを含み得る。
【００９１】
[0100]図１０は、本開示の様々な態様による、共有スペクトルにおけるセルのためのＲＲＭ測定および報告のためのワイヤレスデバイス１０００のブロック図を示す。ワイヤレスデバイス１０００は、図１〜図９を参照しながら説明したワイヤレスデバイス９００またはＵＥ１１５の態様の一例であり得る。ワイヤレスデバイス１０００は、受信機９０５（図示せず）、ＲＲＭ測定および報告マネージャ９１０、または送信機９１５（図示せず）を含み得る。ワイヤレスデバイス１０００はまた、プロセッサ（図示せず）を含み得る。これらの構成要素の各々は互いに通信していることがある。ＲＲＭ測定および報告マネージャ９１０はまた、構成マネージャ９２０−ａと、ＲＲＭ測定マネージャ９２５−ａと、報告マネージャ９３０−ａとを含み得る。
【００９２】
[0101]ＲＲＭ測定および報告マネージャ９１０−ａは、図９を参照しながら説明した動作を実施し得る。ＲＲＭ測定および報告マネージャ９１０−ａは、ＵＥ１１５の受信機９０５から受け渡された構成メッセージ９４０−ａを受信し得る。ＲＲＭ測定および報告マネージャ９１０−ａは、構成メッセージ９４０−ａを構成マネージャ９２０−ａにフォワーディングし得る。構成マネージャ９２０−ａは、図３を参照しながら説明したように、サービングｅＮＢからＲＲＭ測定構成を（たとえば、受信機９０５を介して）受信し得、ＲＲＭ測定構成は、共有周波数帯域の１つまたは複数の周波数についてのＲＲＭ測定に関係する少なくとも１つのパラメータを備える。
【００９３】
[0102]構成マネージャ９２０−ａは、ＣＡ構成マネージャ１００５、ＲＳＳＩ報告構成マネージャ１０１０、拡張ＤＭＴＣマネージャ１０２５、または非周期的探索マネージャ１０１５を含み得る。ＣＡ構成マネージャ１００５は、ＵＥのためにＣＡ構成を管理するように構成され得る。たとえば、ＵＥは、図２〜図８を参照しながら説明したように、専用スペクトル中のＰＣｅｌｌと１つまたは複数のＬＡＡ  ＳＣｅｌｌとを含むサービングセルのセットで構成され得る。ＲＳＳＩ報告および構成マネージャ１０１０は、ＵＥにおけるＲＳＳＩ測定と、基地局へ戻る測定値の報告との構成を実施し得る。非周期的探索マネージャ１０１５は、共有スペクトルの周波数内セルについて探索するための要求を受信し得、図２〜図８を参照しながら説明したように、その要求に少なくとも部分的に基づいて周波数内セルについて探索を実施し得る。
【００９４】
[0103]いくつかの例では、構成メッセージ９４０−ａは、共有周波数帯域の第１の周波数と第２の周波数とに関連付けられた測定イベントのための構成を備える。いくつかの例では、受信信号量は、ＲＳＳＩ、ＲＳＲＰ、またはＲＳＲＱのうちの少なくとも１つを備える。いくつかの例では、第１の周波数または第２の周波数のうちの少なくとも１つは、ＵＥのための構成されたＳＣｅｌｌであり得る。いくつかの例では、第１の周波数または第２の周波数のうちの少なくとも１つは、ＵＥのためにＳＣｅｌｌとして構成されていない周波数であり得る。測定マネージャ９２５−ａは、構成された測定イベントに基づいて第１の周波数と第２の周波数とについて測定を実施し得る。
【００９５】
[0104]いくつかの例では、測定パラメータメッセージ９４５−ａは、セル探索マネージャ１０４５に送られるべきＤＭＴＣウィンドウまたは拡張ＤＭＴＣウィンドウのための構成を備える。いくつかの例では、ＤＭＴＣウィンドウまたは拡張ＤＭＴＣウィンドウのための構成は、探索期間、ウィンドウ持続時間、またはそれらの組合せのうちの少なくとも１つを備える。セル探索マネージャ１０４５は、ＤＭＴＣウィンドウまたは拡張ＤＭＴＣウィンドウに基づいて共有スペクトルのセルについて周波数内測定を実施し得る。セル探索マネージャ１０４５は、たとえば、ＤＭＴＣウィンドウ内の構成された時間位置において少なくとも１つのサービング２次セルＤＲＳについて探索し、および／またはＤＭＴＣウィンドウ内の構成された時間位置に関連しない少なくとも１つのネイバーセルＤＲＳについて探索し得る。
【００９６】
[0105]いくつかの例では、測定パラメータメッセージ９４５−ａは、ＲＳＳＩ測定マネージャ１０２０に送られるべき共有周波数帯域の１つまたは複数の周波数に関連する少なくとも１つのＲＳＳＩ測定パラメータを備える。ＲＳＳＩ測定マネージャ１０２０は、測定パラメータメッセージ９４５−ａ中に示された少なくとも１つのＲＳＳＩ測定パラメータに基づいてＲＳＳＩ測定を実施し得る。
【００９７】
[0106]他の例では、測定パラメータメッセージ９４５−ａは、サービングセルのセットのサブセットに関連する周波数間測定期間のための構成を備える。測定マネージャ９２５は、共有周波数帯域の少なくとも１つのネイバー周波数の信号量を測定し、それと同時に、周波数間測定期間中にＰＣｅｌｌ上でサービングｅＮＢと通信し得る。
【００９８】
[0107]報告マネージャ９３０−ａはＲＳＳＩ報告マネージャ１０３０を含み得る。ＲＳＳＩ報告マネージャ１０３０は、ＲＳＳＩ測定マネージャ１０２０からＲＳＳＩメッセージ１０３５を受信し得る。ＲＳＳＩ測定マネージャ１０２０は、ＲＳＳＩ測定のための構成および報告を管理するように構成され得る。たとえば、ＲＳＳＩ測定マネージャ１０２０は、図２〜図８を参照しながら説明したように、ＲＳＳＩ観測期間、ＲＳＳＩ測定期間、ＲＳＳＩしきい値、またはそれらの組合せを含む（たとえば、測定パラメータメッセージ９４５中の）少なくとも１つのＲＳＳＩ測定パラメータに従ってＲＳＳＩ測定を構成し得る。
【００９９】
[0108]報告マネージャ９３０−ａは、図２〜図８を参照しながら説明したように、（たとえば、ＲＳＳＩ測定マネージャ１０２０またはセル探索マネージャ１０４５からの）少なくとも１つの測定値から決定されたチャネルパラメータをサービングｅＮＢに報告し得る。いくつかの例では、報告は、サービングｅＮＢからのＰＣｅｌｌのフレームタイミングに対する１つまたは複数のネイバーセルの検出されたタイミングオフセットと、タイミングオフセットしきい値とに少なくとも部分的に基づいて、１つまたは複数のネイバーセルに関連する報告メッセージ９５５−ａを備える。いくつかの例では、１つまたは複数のネイバーセルに関連する報告メッセージ９５５−ａは、検出されたタイミングオフセットを備える。いくつかの例では、１つまたは複数のネイバーセルに関連する報告メッセージ９５５−ａは、検出されたタイミングオフセットによる１つまたは複数のネイバーセルのグループ化を備える。いくつかの例では、１つまたは複数のネイバーセルに関連する報告メッセージ９５５−ａは、検出されたタイミングオフセットに少なくとも部分的に基づく、１つまたは複数の候補ＰＣｅｌｌとの１つまたは複数のネイバーセルのグループ化を備える。いくつかの例では、報告メッセージ９５５−ａは、ＲＳＳＩ観測期間上にわたって平均ＲＳＳＩを報告することを備える。いくつかの例では、報告メッセージ９５５−ａは、１つまたは複数の周波数についてのＲＳＳＩ測定値がＲＳＳＩ観測期間のＲＳＳＩしきい値を上回る時間量のインジケータを報告することを備える。報告マネージャ９３０−ａはまた、報告メッセージ９５５−ａ中で探索中に検出された１つまたは複数の周波数内セルに関連する情報を報告し得る。ＲＲＭ測定および報告マネージャ９１０はまた、ＲＲＭイベントトリガリングマネージャと、拡張ＤＭＴＣマネージャと、ＲＳＳＩ報告構成マネージャと、ＣＡ構成マネージャと、測定ギャップマネージャと、ＲＲＭ非周期的探索マネージャとを含み得る。
【０１００】
[0109]図１１は、本開示の様々な態様による、ＬＡＡのためのＲＲＭ測定および報告のための基地局１０５の構成要素であり得るＲＲＭ測定および構成マネージャ１１４５のブロック図１１００を示す。ＲＲＭ測定および構成マネージャ１１４５は、構成マネージャ１１５０と、測定プロセッサ１１０５と、チャネル選択マネージャ１１１０とを含み得る。
【０１０１】
[0110]構成マネージャ１１５０は、１つまたは複数のＵＥ１１５についてＬＡＡのためのＲＲＭ測定および報告のための構成を決定し得る。構成マネージャ１１５０は、構成メッセージ１１１５を送信機１１６０にフォワーディングし得る。送信機１１６０は、構成メッセージ１１１５によって示された構成を備える送信情報１１４０をＵＥ１１５に送信し得る。
【０１０２】
[0111]受信機１１５５は受信機情報１１２０を受信し得る。受信機１１５５は、報告された測定メッセージ１１２５を測定プロセッサ１１０５にフォワーディングし得る。測定プロセッサは、処理された測定メッセージ１１３０をチャネル選択マネージャ１１１０にフォワーディングし得る。チャネル選択マネージャ１１１０は、１つまたは複数の周波数チャネルを決定し、チャネル選択メッセージ１１３５を送信機１１６０にフォワーディングし得る。送信機１１６０は、次いで、送信情報１１４０をＵＥ１１５に送信し得る。
【０１０３】
[0112]図１２は、本開示の様々な態様による、共有スペクトルにおけるセルのためのＲＲＭ測定および報告のために構成されたＵＥ１１５を含むシステム１２００の図を示す。システム１２００は、図１、図２および図９〜図１１を参照しながら説明したワイヤレスデバイス９００、ワイヤレスデバイス１０００、またはＵＥ１１５の一例であり得る、ＵＥ１１５−ｄを含み得る。ＵＥ１１５−ｄは、図９〜図１１を参照しながら説明したＲＲＭ測定および報告マネージャ９１０の一例であり得る、ＲＲＭ報告マネージャ１２１０を含み得る。ＵＥ１１５−ｄはまた、通信を送信するための構成要素と通信を受信するための構成要素とを含む、双方向音声およびデータ通信のための構成要素を含み得る。たとえば、ＵＥ１１５−ｄは、基地局１０５−ｃまたはＵＥ１１５−ｅと双方向に通信し得る。
【０１０４】
[0113]ＵＥ１１５−ｄはまた、プロセッサ１２０５と、（ソフトウェアを含む）メモリ１２１５  １２２０と、トランシーバ１２３５と、１つまたは複数のアンテナ１２４０とを含み得、それらの各々は、（たとえば、バス１２４５を介して）互いに直接または間接的に通信し得る。トランシーバ１２３５は、上記で説明したように、アンテナ１２４０またはワイヤードリンクもしくはワイヤレスリンクを介して、１つまたは複数のネットワークと双方向に通信し得る。たとえば、トランシーバ１２３５は、基地局１０５または別のＵＥ１１５と双方向に通信し得る。トランシーバ１２３５は、パケットを変調し、変調されたパケットを送信のために（１つまたは複数の）アンテナ１２４０に与え、（１つまたは複数の）アンテナ１２４０から受信されたパケットを復調するためのモデムを含み得る。ＵＥ１１５−ｄは、単一のアンテナ１２４０を含み得るが、ＵＥ１１５−ｄはまた、複数のワイヤレス送信を同時に送信または受信することが可能な複数のアンテナ１２４０を有し得る。
【０１０５】
[0114]メモリ１２１５は、ランダムアクセスメモリ（ＲＡＭ）と読取り専用メモリ（ＲＯＭ）とを含み得る。メモリ１２１５は、実行されたとき、本明細書で説明する様々な機能（たとえば、ＬＡＡのためのＲＲＭ測定および報告など）をプロセッサ１２０５に実施させる命令を含むコンピュータ可読、コンピュータ実行可能ソフトウェア／ファームウェアコード１２２０を記憶し得る。代替的に、ソフトウェア／ファームウェアコード１２２０は、プロセッサ１２０５によって直接的に実行可能でないことがあるが、（たとえば、コンパイルされ実行されたとき）本明細書で説明する機能をコンピュータに実施させ得る。プロセッサ１２０５は、インテリジェントハードウェアデバイス、（たとえば、中央処理ユニット（ＣＰＵ）、マイクロコントローラ、特定用途向け集積回路（ＡＳＩＣ）など）を含み得る。
【０１０６】
[0115]ワイヤレスデバイス９００、ワイヤレスデバイス１０００の構成要素、ならびにＲＲＭ測定および報告構成要素９１０は、適用可能な機能の一部または全部をハードウェアで実施するように適応された少なくとも１つのＡＳＩＣを用いて、個々にまたは集合的に実装され得る。代替的に、それらの機能は、１つまたは複数の他の処理ユニット（またはコア）によって、少なくとも１つのＩＣ上で実施され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリ中に組み込まれた命令を用いて実装され得る。
【０１０７】
[0116]図１３は、本開示の態様による、共有スペクトルにおけるセルのためのＲＲＭ測定および報告のために構成された基地局１０５−ｄを含むシステム１３００の図を示す。基地局１０５−ｄは、図１および図２を参照しながら説明した基地局１０５の一例であり得る。基地局１０５−ｄは、図１１を参照しながら説明したＲＲＭ測定および構成マネージャ１１４５の一例であり得る、ＲＲＭ測定および構成マネージャ１１４５−ｂを含み得る。基地局１０５−ｄは、通信を送信するための構成要素と通信を受信するための構成要素とを含む、双方向音声およびデータ通信のための構成要素をも含み得る。たとえば、基地局１０５−ｄは、基地局１０５−ｅ、基地局１０５−ｆ、ＵＥ１１５−ｆ、および／またはＵＥ１１５−ｇと双方向に通信し得る。
【０１０８】
[0117]場合によっては、基地局１０５−ｄは、１つまたは複数のワイヤードバックホールリンクを有し得る。基地局１０５−ｄは、コアネットワーク１３０−ａへのワイヤードバックホールリンク（たとえば、Ｓ１インターフェースなど）を有し得る。基地局１０５−ｄはまた、基地局間バックホールリンク（たとえば、Ｘ２インターフェース）を介して基地局１０５−ｅおよび基地局１０５−ｆなど、他の基地局１０５と通信し得る。基地局１０５の各々は、同じまたは異なるワイヤレス通信技術を使用してＵＥ１１５と通信し得る。場合によっては、基地局１０５−ｄは、基地局通信マネージャ１３２５を利用して１０５−ｅまたは１０５−ｆなどの他の基地局と通信し得る。いくつかの例では、基地局通信マネージャ１３２５は、基地局１０５のうちのいくつかの間で通信を行うために、ＬＴＥ／ＬＴＥ−Ａワイヤレス通信ネットワーク技術内のＸ２インターフェースを与え得る。いくつかの例では、基地局１０５−ｄは、コアネットワーク１３０−ａを通して他の基地局と通信し得る。場合によっては、基地局１０５−ｄは、ネットワーク通信マネージャ１３３０を通してコアネットワーク１３０と通信し得る。
【０１０９】
[0118]基地局１０５−ｄは、プロセッサ１３０５と、メモリ１３１５と、トランシーバ１３３５と、アンテナ１３４０とを含み得、それらの各々は、（たとえば、バス１３４５を介して）互いに直接または間接的に通信していることがある。トランシーバ１３３５は、アンテナ１３４０を介して、マルチモードデバイスであり得るＵＥ１１５と双方向に通信するように構成され得る。トランシーバ１３３５（または基地局１０５−ｃの他の構成要素）はまた、アンテナ１３４０を介して、１つまたは複数の他の基地局（図示せず）と双方向に通信するように構成され得る。トランシーバ１３３５は、パケットを変調し、変調されたパケットを送信のためにアンテナ１３４０に与え、アンテナ１３４０から受信されたパケットを復調するように構成されたモデムを含み得る。基地局１０５−ｄは、１つまたは複数の関連するアンテナ１３４０をそれぞれもつ、複数のトランシーバ１３３５を含み得る。トランシーバ１３３５およびアンテナ１３４０は、図１１を参照しながら説明した受信機１１５５と送信機１１６０の両方の態様（たとえば、合成された受信機１１５５および送信機１１６０など）の一例であり得る。
【０１１０】
[0119]メモリ１３１５はＲＡＭとＲＯＭとを含み得る。メモリ１３１５はまた、プロセッサ１３０５によって実行されたとき、本明細書で説明する様々な機能（たとえば、カバレージ拡張技法の選択、呼処理、データベース管理、メッセージルーティングなど）を基地局１０５−ｄに実施させるように構成された命令を含んでいるコンピュータ可読、コンピュータ実行可能ソフトウェア／ファームウェアコード１３２０を記憶し得る。代替的に、ソフトウェア／ファームウェアコード１３２０は、プロセッサ１３０５によって直接的に実行可能でないことがあるが、たとえば、コンパイルされ実行されたとき、本明細書で説明する機能をコンピュータに実施させるように構成され得る。プロセッサ１３０５は、インテリジェントハードウェアデバイス、たとえば、ＣＰＵ、マイクロコントローラ、ＡＳＩＣなどを含み得る。プロセッサ１３０５は、エンコーダ、キュー処理マネージャ、ベースバンドプロセッサ、無線ヘッドコントローラ、デジタル信号プロセッサ（ＤＳＰ）など、様々な専用プロセッサを含み得る。
【０１１１】
[0120]基地局通信マネージャ１３２５は、他の基地局１０５との通信を管理し得る。基地局通信マネージャ１３２５は、他の基地局１０５と協働してＵＥ１１５との通信を制御するためのコントローラまたはスケジューラを含み得る。たとえば、基地局通信マネージャ１３２５は、ビームフォーミングまたはジョイント送信などの様々な干渉緩和技法のためにＵＥ１１５への送信のためのスケジューリングを協調させ得る。
【０１１２】
[0121]ＲＲＭ測定および構成マネージャ１１４５−ａは、図１１を参照しながら説明したＲＲＭ測定および構成マネージャ１１４５の一例であり得、本明細書で説明するように共存するＲＡＴのための重ね合わせコーディングベースのプリアンブル設計を実装する様々な態様を管理し得る。ＲＲＭ測定および構成マネージャ１１４５−ａは、１つまたは複数のバス１３４５を介して、基地局１０５−ｄの他の構成要素と直接または間接的に通信していることがある。ＲＲＭ測定および構成マネージャ１１４５−ａ、またはそれの部分はプロセッサを含み得るか、あるいはＲＲＭ測定および構成マネージャ１１４５−ａの機能の一部または全部は、プロセッサ１３０５によって、あるいはプロセッサ１３０５とともに実施され得る。
【０１１３】
[0122]図１４は、本開示の様々な態様による、共有スペクトルにおけるセルのためのＲＲＭ測定および報告のための方法１４００を示すフローチャートを示す。方法１４００の動作は、図１〜図１３を参照しながら説明したように、ＵＥ１１５またはそれの構成要素によって実装され得る。たとえば、方法１４００の動作は、図９〜図１３を参照しながら説明したように、ＲＲＭ測定および報告マネージャ９１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する態様機能を実施し得る。
【０１１４】
[0123]ブロック１４０５において、ＵＥ１１５は、図２〜図８を参照しながら説明したようにサービングｅＮＢからＲＲＭ測定構成を受信し得、ＲＲＭ測定構成は、共有周波数帯域の１つまたは複数の周波数についてのＲＲＭ測定に関係する少なくとも１つのパラメータを備える。ＲＲＭ測定構成は、共有周波数帯域の第１の周波数と第２の周波数とに関連付けられた測定イベントのための構成を含み得る。いくつかの例では、ブロック１４０５の動作は、図９を参照しながら説明したように、構成マネージャ９２０によって実施され得る。
【０１１５】
[0124]ブロック１４１０において、ＵＥ１１５は、図２〜図８を参照しながら説明したように、ＲＲＭ測定構成に少なくとも部分的に基づいて第１および第２の周波数について測定を実施し得る。たとえば、ＵＥは、第１および第２の周波数の受信信号量を測定し得る。いくつかの例では、ブロック１４１０の動作は、図９を参照しながら説明したように、測定マネージャ９２５によって実施され得る。
【０１１６】
[0125]ブロック１４１５において、ＵＥ１１５は、図４Ａおよび図４Ｂを参照しながら説明したように、第１の周波数と第２の周波数とに関連する受信信号量の比較に少なくとも部分的に基づいて測定イベントのトリガリングを決定し得る。
【０１１７】
[0126]ブロック１４２０において、ＵＥ１１５は、図２〜図８を参照しながら説明したように、測定イベントの発生をサービングｅＮＢに報告し得る。いくつかの例では、ブロック１４２０の動作は、図９を参照しながら説明したように、報告マネージャ９３０によって実施され得る。
【０１１８】
[0127]図１５は、本開示の様々な態様による、共有スペクトルにおけるセルのためのＲＲＭ測定および報告のための方法１５００を示すフローチャートを示す。方法１５００の動作は、図１〜図１２を参照しながら説明したように、ＵＥ１１５またはそれの構成要素によって実装され得る。たとえば、方法１５００の動作は、図９〜図１３を参照しながら説明したように、ＲＲＭ測定および報告マネージャ９１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する態様機能を実施し得る。
【０１１９】
[0128]ブロック１５０５において、ＵＥ１１５は、構成されたＳＣｅｌｌのための拡張ＤＭＴＣウィンドウのための構成を含むＲＲＭ測定構成を受信し得る。拡張ＤＭＴＣウィンドウは、探索期間とウィンドウ持続時間とを使用して構成され得る。いくつかの例では、ブロック１５０５の動作は、図９を参照しながら説明したように、構成マネージャ９２０によって実施され得る。
【０１２０】
[0129]ブロック１５１０において、ＵＥ１１５は、図５を参照しながら説明したように、ＤＭＴＣウィンドウまたは拡張ＤＭＴＣウィンドウにわたって周波数内ネイバーセルによって送信されたＤＲＳについて探索し得る。いくつかの例では、ブロック１５１０の動作は、図１０を参照しながら説明したように、拡張ＤＭＴＣマネージャ１０２５によって実施され得る。
【０１２１】
[0130]ブロック１５１５において、ＵＥ１１５は、拡張ＤＭＴＣウィンドウにおいて検出されたネイバーセルをサービングｅＮＢに報告し得る。ネイバーセル報告は、図７を参照しながら説明したように実施され得る。いくつかの例では、ブロック１５１５の動作は、図９を参照しながら説明したように、報告マネージャ９３０によって実施され得る。
【０１２２】
[0131]図１６は、本開示の様々な態様による、共有スペクトルにおけるセルのためのＲＲＭ測定および報告のための方法１６００を示すフローチャートを示す。方法１６００の動作は、図１〜図１３を参照しながら説明したように、ＵＥ１１５またはそれの構成要素によって実装され得る。たとえば、方法１６００の動作は、図９〜図１３を参照しながら説明したように、ＲＲＭ測定および報告マネージャ９１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する態様機能を実施し得る。
【０１２３】
[0132]ブロック１６０５において、ＵＥ１１５は、サービングｅＮＢからＲＲＭ測定構成を受信し得る。場合によっては、ＲＲＭ測定構成は、図３および図７を参照しながら説明したようにタイミングオフセットしきい値を含む。いくつかの例では、ブロック１６０５の動作は、図９を参照しながら説明したように、構成マネージャ９２０によって実施され得る。
【０１２４】
[0133]ブロック１６１０において、ＵＥ１１５は、図２〜図８を参照しながら説明したように、ＲＲＭ測定構成に少なくとも部分的に基づいて１つまたは複数の周波数について少なくとも１つの測定を実施し得る。少なくとも１つの測定は、（たとえば、拡張ＤＭＴＣウィンドウなどを使用する）周波数内セルまたは（たとえば、測定ギャップを使用する）周波数間セルのＲＲＭ測定を含み得る。いくつかの例では、ブロック１６１０の動作は、図９を参照しながら説明したように、測定マネージャ９２５によって実施され得る。
【０１２５】
[0134]ブロック１６１５において、ＵＥ１１５は、サービングｅＮＢからのＰＣｅｌｌのフレームタイミングに対する１つまたは複数のネイバーセルの検出されたタイミングオフセットと、タイミングオフセットしきい値とに少なくとも部分的に基づいて、共有スペクトルの１つまたは複数のネイバーセルに関連する情報をサービングｅＮＢに報告し得る。報告は、タイミングオフセットしきい値に基づいて検出されたセルのサブセットを報告することを含み得る。たとえば、報告は、同期セルまたは非同期セルのみについて実施され得る。追加または代替として、同期セルと非同期セルの両方が報告され得、報告はタイミングオフセットによってセルをグループ化または識別し得る。たとえば、複数のタイミンググループが報告され得、各タイミンググループは、関連するタイミングオフセットウィンドウ内にあるセルを有する。いくつかの例では、ブロック１６１５の動作は、図９を参照しながら説明したように、報告マネージャ９３０によって実施され得る。
【０１２６】
[0135]図１７は、本開示の様々な態様による、共有スペクトルにおけるセルのためのＲＲＭ測定および報告のための方法１７００を示すフローチャートを示す。方法１７００の動作は、図１〜図１３を参照しながら説明したように、ＵＥ１１５またはそれの構成要素によって実装され得る。たとえば、方法１７００の動作は、図９〜図１３を参照しながら説明したように、ＲＲＭ測定および報告マネージャ９１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する態様機能を実施し得る。
【０１２７】
[0136]ブロック１７０５において、ＵＥ１１５は、共有周波数帯域の１つまたは複数の周波数に関連する少なくとも１つのＲＳＳＩ測定パラメータを含むＲＲＭ測定構成を受信し得る。少なくとも１つのＲＳＳＩ測定パラメータは、ＲＳＳＩ観測期間、ＲＳＳＩ測定期間、またはＲＳＳＩしきい値を含み得る。いくつかの例では、ブロック１７０５の動作は、図１９を参照しながら説明したように、構成マネージャ９２０によって実施され得る。
【０１２８】
[0137]ブロック１７１０において、ＵＥ１１５は、図２〜図８を参照しながら説明したように、ＲＲＭ測定構成に少なくとも部分的に基づいて１つまたは複数の周波数についてＲＳＳＩ測定を実施し得る。いくつかの例では、ブロック１７１０の動作は、図９を参照しながら説明したように、測定マネージャ９２５によって実施され得る。
【０１２９】
[0138]ブロック１７１５において、ＵＥ１１５は、１つまたは複数の周波数について平均またはフィルタ処理ＲＳＳＩを報告し得る。追加または代替として、ＵＥ１１５は、ＲＳＳＩ観測期間にわたるＲＳＳＩしきい値を上回っている１つまたは複数の周波数のＲＳＳＩ測定値の時間量または割合を示し得る、ＲＳＳＩプロファイルまたはチャネル占有を報告するように構成され得る。いくつかの例では、ブロック１７１５の動作は、図９を参照しながら説明したように、報告マネージャ９３０によって実施され得る。
【０１３０】
[0139]図１８は、本開示の様々な態様による、共有スペクトルにおけるセルのためのＲＲＭ測定および報告のための方法１８００を示すフローチャートを示す。方法１８００の動作は、図１〜図１３を参照しながら説明したように、ＵＥ１１５またはそれの構成要素によって実装され得る。たとえば、方法１８００の動作は、図９〜図１３を参照しながら説明したように、ＲＲＭ測定および報告マネージャ９１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する態様機能を実施し得る。
【０１３１】
[0140]ブロック１８０５において、ＵＥ１１５は、共有周波数帯域中にＰＣｅｌｌと少なくとも１つのＳＣｅｌｌとを含むサービングセルのセットを備える構成に従う通信のために構成され得る。いくつかの例では、ブロック１８０５の動作は、図１０を参照しながら説明したように、ＣＡ構成マネージャ１００５によって実施され得る。
【０１３２】
[0141]ブロック１８１０において、ＵＥ１１５は、図２〜図８を参照しながら説明したように、サービングセルのセットのサブセットに関連する周波数間測定期間を決定し得る。周波数間測定期間は、図６を参照しながら説明したように、自律的ギャップであり得るか、既知のデータバーストギャップ中に実施され得るか、または構成されたＬＡＡ測定ギャップであり得る。
【０１３３】
[0142]ブロック１８１５において、ＵＥ１１５は、共有周波数帯域の少なくとも１つのネイバー周波数の信号量を測定し、それと同時に、周波数間測定期間中にＰＣｅｌｌ上でサービングｅＮＢと通信し得る。いくつかの例では、ブロック１８１５の動作は、図９を参照しながら説明したように、測定マネージャ９２５によって実施され得る。
【０１３４】
[0143]ブロック１８２０において、ＵＥ１１５は、周波数間測定期間から決定された共有スペクトルのネイバーセルをサービングｅＮＢに報告し得る。報告は、たとえば、図３および図７を参照しながら説明したように実施され得る。いくつかの例では、ブロック１８１５の動作は、図１９を参照しながら説明したように、報告マネージャ９３０によって実施され得る。
【０１３５】
[0144]このようにして、方法１４００、１５００、１６００、１７００、および１８００は、ＬＡＡのためのＲＲＭ測定および報告を提供し得る。方法１４００、１５００、１６００、１７００および１８００は可能な実装形態を表すこと、ならびに動作およびステップは、他の実装形態が可能であるように、並べ替えられるかまたは場合によっては変更され得ることに留意されたい。いくつかの例では、方法１４００、１５００、１６００、１７００および１８００のうちの２つまたはそれ以上からの態様が組み合わされ得る。
【０１３６】
[0145]本明細書の説明は、例を与えるものであり、特許請求の範囲に記載される範囲、適用可能性、または例を限定するものではない。本開示の範囲から逸脱することなく、説明した要素の機能および構成において変更が行われ得る。様々な例は、適宜に、様々な手順または構成要素を省略、置換、または追加し得る。また、いくつかの例に関して説明した特徴は、他の例において組み合わされ得る。
【０１３７】
[0146]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。３ＧＰＰ（登録商標）ロングタームエボリューション（ＬＴＥ）およびＬＴＥアドバンスト（ＬＴＥ−ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ａ、およびモバイル通信用グローバルシステム（ＧＳＭ）は、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明した技法は、上述のシステムおよび無線技術ならびに他のシステムおよび無線技術に使用され得る。ただし、本明細書の説明では、例としてＬＴＥシステムについて説明し、上記の説明の大部分においてＬＴＥ用語が使用されるが、本技法はＬＴＥ適用例以外に適用可能である。
【０１３８】
[0147]本明細書で説明したようなネットワークを含む、ＬＴＥ／ＬＴＥ−ａネットワークでは、基地局について説明するためにｅＮＢという用語が概して使用され得る。本明細書で説明した１つまたは複数のワイヤレス通信システムは、異なるタイプのｅＮＢが様々な地理的領域にカバレージを与える、異種ＬＴＥ／ＬＴＥ−ａネットワークを含み得る。たとえば、各ｅＮＢまたは基地局は、マクロセル、スモールセル、または他のタイプのセルに通信カバレージを与え得る。
【０１３９】
[0148]基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、またはそのように当業者によって呼ばれることがある。基地局の地理的カバレージエリアは、カバレージエリアの一部分のみを構成するセクタに分割され得る。本明細書で説明した１つまたは複数のワイヤレス通信システムは、異なるタイプの基地局（たとえば、マクロセル基地局またはスモールセル基地局）を含み得る。本明細書で説明したＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１４０】
[0149]マクロセルは、概して、比較的大きい地理的エリア（たとえば、半径数キロメートル）をカバーし、サービスに加入しているＵＥによるネットワークプロバイダとの無制限アクセスを可能にし得る。スモールセルは、マクロセルと比較されるとき、マクロセルと同じまたは異なる（たとえば、認可、共有など）周波数帯域において動作し得る低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥによる無制限アクセスを可能にし得る。また、フェムトセルは、小さい地理的エリア（たとえば、自宅）をカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１４１】
[0150]本明細書で説明したＤＬ送信は順方向リンク送信と呼ばれることもあり、ＵＬ送信は逆方向リンク送信と呼ばれることもある。たとえば、図１および図２のワイヤレス通信システム１００および２００を含む、本明細書で説明した各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明した通信リンク（たとえば、図１の通信リンク１２５）は、（たとえば、対スペクトルリソースを使用する）ＦＤＤ動作または（たとえば、不対スペクトルリソースを使用する）ＴＤＤ動作を使用して、双方向通信を送信し得る。ＦＤＤ（たとえば、フレーム構造タイプ１）およびＴＤＤ（たとえば、フレーム構造タイプ２）のためのフレーム構造が定義され得る。
【０１４２】
[0151]添付の図面に関して本明細書に記載された説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明した技法の理解を与えるための具体的な詳細を含む。ただし、これらの技法は、これらの具体的な詳細なしに実施され得る。いくつかの事例では、説明した例の概念を不明瞭にすることを回避するために、よく知られている構造およびデバイスはブロック図の形式で示される。
【０１４３】
[0152]本明細書で説明した情報および信号は、様々な異なる技術および技法のいずれかを使用して表され得る。たとえば、上記の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１４４】
[0153]本明細書の本開示に関して説明した様々な例示的なブロックおよびマネージャは、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明した機能を実施するように設計されたそれらの任意の組合せを用いて実装または実施され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としても実装され得る。
【０１４５】
[0154]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明した機能は、プロセッサによって実行されるソフトウェア、ハードウェア、ファームウェア、ハードワイヤリング、またはこれらのいずれかの組合せを使用して実装され得る。機能を実装する特徴はまた、機能の部分が異なる物理ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１４６】
[0155]コンピュータ可読媒体は、ある場所から別の場所へのコンピュータプログラムの転送を可能にする任意の媒体を含む、非一時的コンピュータ記憶媒体とコンピュータ通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１４７】
[0156]本明細書の説明は、当業者が本開示を作成または使用することができるように与えられる。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示される原理および新規の特徴に合致する最も広い範囲を与えられるべきである。
【図１】
2020195142.tif 000004
【図２】
2020195142.tif 000005
【図３】
2020195142.tif 000006
【図４Ａ】
2020195142.tif 000007
【図４Ｂ】
2020195142.tif 000008
【図５】
2020195142.tif 000009
【図６】
2020195142.tif 000010
【図７】
2020195142.tif 000011
【図８】
2020195142.tif 000012
【図９】
2020195142.tif 000013
【図１０】
2020195142.tif 000014
【図１１】
2020195142.tif 000015
【図１２】
2020195142.tif 000016
【図１３】
2020195142.tif 000017
【図１４】
2020195142.tif 000018
【図１５】
2020195142.tif 000019
【図１６】
2020195142.tif 000020
【図１７】
2020195142.tif 000021
【図１８】
2020195142.tif 000022
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
共有周波数スペクトル帯域の少なくとも１つの周波数チャネルを利用するキャリアアグリゲーション構成を有するユーザ機器（ＵＥ）において、前記少なくとも１つの周波数チャネルのための拡張ＤＭＴＣウィンドウを備える拡張発見基準信号（ＤＲＳ）測定タイミング構成（ＤＭＴＣ）を受信することと、
前記少なくとも１つの周波数チャネルについて、前記拡張ＤＭＴＣウィンドウにわたってネイバーセルによるＤＲＳ送信について探索を実施することと、
前記探索の結果をサービング基地局に報告することと
を備える、ワイヤレス通信の方法。
【請求項２】
前記拡張ＤＭＴＣウィンドウが、探索期間またはウィンドウ持続時間のうちの少なくとも１つで構成される、請求項１に記載の方法。
【請求項３】
前記少なくとも１つの周波数チャネルを介したサービングセルまたはネイバーセルからの前記ＤＲＳが、リッスンビフォアトーク（ＬＢＴ）手順に従う、請求項１に記載の方法。
【請求項４】
前記探索の前記結果が、少なくとも１つの周波数内ネイバーセルについての少なくとも１つの測定値、前記少なくとも１つの周波数内ネイバーセルの識別子の少なくとも１つの指示、あるいはそれらの組合せを備える、請求項１に記載の方法。
【請求項５】
前記探索が、前記拡張ＤＭＴＣウィンドウ内の構成された時間位置において少なくとも１つのサービング２次セルＤＲＳについて探索することを備える、請求項１に記載の方法。
【請求項６】
前記探索が、前記拡張ＤＭＴＣウィンドウ内の構成された時間位置に関連しない少なくとも１つのネイバーセルＤＲＳについて探索することを備える、請求項１に記載の方法。
【請求項７】
前記拡張ＤＭＴＣウィンドウが、拡張ＤＭＴＣ探索期間および拡張ＤＭＴＣウィンドウ持続時間で構成される、請求項１に記載の方法。
【請求項８】
前記拡張ＤＭＴＣウィンドウ持続時間は、１つのＤＭＴＣ期間の持続時間に等しい、請求項７に記載の方法。
【請求項９】
前記探索が、前記サービング基地局による要求時に実施される、請求項７に記載の方法。
【請求項１０】
前記ＵＥが、前記要求によって指定された持続時間にわたってＤＲＳ送信について探索を実施する、請求項９に記載の方法。
【請求項１１】
ワイヤレス通信のための装置であって、
プロセッサと、
前記プロセッサと電子通信しているメモリと、
前記メモリに記憶された命令と、
を備え、前記命令は、前記装置に、
共有周波数スペクトル帯域の少なくとも１つの周波数チャネルを利用するキャリアアグリゲーション構成を有するユーザ機器（ＵＥ）において、前記少なくとも１つの周波数チャネルのための拡張ＤＭＴＣウィンドウを備える拡張発見基準信号（ＤＲＳ）測定タイミング構成（ＤＭＴＣ）を受信することと、
前記少なくとも１つの周波数チャネルについて、前記拡張ＤＭＴＣウィンドウにわたってネイバーセルによるＤＲＳ送信について探索を実施することと、
前記探索の結果をサービング基地局に報告することと、
を行わせるように、前記プロセッサによって実行可能である、装置。
【請求項１２】
前記拡張ＤＭＴＣウィンドウが、探索期間またはウィンドウ持続時間のうちの少なくとも１つで構成される、請求項１１に記載の装置。
【請求項１３】
前記少なくとも１つの周波数チャネルを介したサービングセルまたはネイバーセルからの前記ＤＲＳが、リッスンビフォアトーク（ＬＢＴ）手順に従う、請求項１１に記載の装置。
【請求項１４】
前記探索の前記結果が、少なくとも１つの周波数内ネイバーセルについての少なくとも１つの測定値、前記少なくとも１つの周波数内ネイバーセルの識別子の少なくとも１つの指示、あるいはそれらの組合せを備える、請求項１１に記載の装置。
【請求項１５】
前記探索が、前記拡張ＤＭＴＣウィンドウ内の構成された時間位置において少なくとも１つのサービング２次セルＤＲＳについて探索することを備える、請求項１１に記載の装置。
【請求項１６】
前記探索が、前記拡張ＤＭＴＣウィンドウ内の構成された時間位置に関連しない少なくとも１つのネイバーセルＤＲＳについて探索することを備える、請求項１１に記載の装置。
【請求項１７】
前記拡張ＤＭＴＣウィンドウが、拡張ＤＭＴＣ探索期間および拡張ＤＭＴＣウィンドウ持続時間で構成される、請求項１１に記載の装置。
【請求項１８】
前記拡張ＤＭＴＣウィンドウ持続時間は、１つのＤＭＴＣ期間の持続時間に等しい、請求項１７に記載の装置。
【請求項１９】
前記探索が、前記サービング基地局による要求時に実施され、
前記ＵＥが、前記要求によって指定された持続時間にわたってＤＲＳ送信について探索を実施する、請求項１７に記載の装置。
【請求項２０】
ワイヤレス通信のためのコードを記憶した非一時的コンピュータ可読媒体であって、
前記コードは、プロセッサによって、
共有周波数スペクトル帯域の少なくとも１つの周波数チャネルを利用するキャリアアグリゲーション構成を有するユーザ機器（ＵＥ）において、前記少なくとも１つの周波数チャネルのための拡張ＤＭＴＣウィンドウを備える拡張発見基準信号（ＤＲＳ）測定タイミング構成（ＤＭＴＣ）を受信することと、
前記少なくとも１つの周波数チャネルについて、前記拡張ＤＭＴＣウィンドウにわたってネイバーセルによるＤＲＳ送信について探索を実施することと、
前記探索の結果をサービング基地局に報告することと、
を実行可能である命令を備える、非一時的コンピュータ可読媒体。
【手続補正２】
【補正対象書類名】明細書
【補正対象項目名】０１４７
【補正方法】変更
【補正の内容】
【０１４７】
[0156]本明細書の説明は、当業者が本開示を作成または使用することができるように与えられる。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示される原理および新規の特徴に合致する最も広い範囲を与えられるべきである。
以下に本願の出願当初の特許請求の範囲に記載された発明を付記する。
[Ｃ１]  ユーザ機器（ＵＥ）において、共有周波数帯域の１つまたは複数の周波数チャネルのための無線リソース管理（ＲＲＭ）測定構成を受信することと、前記ＲＲＭ測定構成が、前記１つまたは複数の周波数チャネルのための少なくとも１つのチャネル占有測定パラメータを備える、
前記少なくとも１つのチャネル占有測定パラメータに従って前記１つまたは複数の周波数チャネルのための少なくとも１つのチャネル占有メトリックを決定することと、
サービングセルに前記少なくとも１つのチャネル占有メトリックを報告することと
を備える、ワイヤレス通信の方法。
[Ｃ２]  前記少なくとも１つのチャネル占有測定パラメータが、受信信号強度インジケータ（ＲＳＳＩ）観測期間、ＲＳＳＩ測定期間、ＲＳＳＩしきい値、１つまたは複数のフィルタ処理パラメータ、あるいはそれらの組合せを備える、Ｃ１に記載の方法。
[Ｃ３]  前記少なくとも１つのチャネル占有メトリックは、ＲＳＳＩ測定値が前記ＲＳＳＩ観測期間にわたって前記ＲＳＳＩしきい値を上回る時間の割合を示す、Ｃ２に記載の方法。
[Ｃ４]  前記少なくとも１つのチャネル占有メトリックが、前記ＲＳＳＩ観測期間にわたって平均ＲＳＳＩまたはフィルタ処理ＲＳＳＩのうちの少なくとも１つを備える、Ｃ２に記載の方法。
[Ｃ５]  前記ＲＳＳＩ観測期間は、物理レイヤがＲＳＳＩの測定値を報告する連続数のシンボルを備える、Ｃ２に記載の方法。
[Ｃ６]  前記ＲＳＳＩ観測期間が、少なくとも１つのＲＳＳＩ測定期間を備える、Ｃ２に記載の方法。
[Ｃ７]  前記少なくとも１つのチャネル占有メトリックを報告することが、１つまたは複数のサービングセル、１つまたは複数の周波数内ネイバーセル、あるいはそれらの組合せについて報告することを備える、Ｃ１に記載の方法。
[Ｃ８]  前記少なくとも１つのチャネル占有メトリックが、共有周波数帯域の少なくとも１つのネイバー周波数について信号量を測定しながら、それと同時に１次セルを介してサービング基地局と通信することを備えると決定すること
をさらに備える、Ｃ１に記載の方法。
[Ｃ９]  前記１つまたは複数の周波数チャネルのための前記少なくとも１つのチャネル占有メトリックが、サービングセルからの１つまたは複数の発見基準信号（ＤＲＳ）送信を含む時間期間について決定され、ここにおいて、前記決定することが、前記１つまたは複数のＤＲＳ送信についての測定された受信信号強度インジケータ（ＲＳＳＩ）から前記サービングセルに関連する基準信号受信電力（ＲＳＲＰ）を減算することを備える、Ｃ１に記載の方法。
[Ｃ１０]  共有周波数帯域の少なくとも１つの周波数チャネルのチャネル選択のための少なくとも１つのチャネル占有メトリックを報告するために少なくとも１つのユーザ機器（ＵＥ）を基地局によって構成することと、ここにおいて、前記構成することが、前記少なくとも１つの周波数チャネルのための少なくとも１つのチャネル占有測定パラメータを示す前記少なくとも１つの周波数チャネルのためのそれぞれの無線リソース管理（ＲＲＭ）測定構成を送ることを備える、
前記少なくとも１つのＵＥから、前記それぞれのＲＲＭ測定構成に従って決定された前記少なくとも１つのチャネル占有メトリックを受信することと、
前記少なくとも１つのチャネル占有メトリックに少なくとも部分的に基づいて前記基地局の２次セルのための周波数チャネルを識別することと
を備える、ワイヤレス通信の方法。
[Ｃ１１]  前記少なくとも１つのチャネル占有測定パラメータが、受信信号強度インジケータ（ＲＳＳＩ）観測期間、ＲＳＳＩ測定期間、ＲＳＳＩしきい値、１つまたは複数のフィルタ処理パラメータ、あるいはそれらの組合せを備える、Ｃ１０に記載の方法。
[Ｃ１２]  前記少なくとも１つのチャネル占有メトリックは、ＲＳＳＩ測定値が前記ＲＳＳＩ観測期間にわたって前記ＲＳＳＩしきい値を上回る時間の割合を示す、Ｃ１１に記載の方法。
[Ｃ１３]  前記少なくとも１つのチャネル占有メトリックが、前記ＲＳＳＩ観測期間にわたって平均ＲＳＳＩまたはフィルタ処理ＲＳＳＩのうちの少なくとも１つを備える、Ｃ１１に記載の方法。
[Ｃ１４]  前記ＲＳＳＩ観測期間は、物理レイヤがＲＳＳＩの測定値を報告する連続数のシンボルを備える、Ｃ１１に記載の方法。
[Ｃ１５]  前記ＲＳＳＩ観測期間が、少なくとも１つのＲＳＳＩ測定期間を備える、Ｃ１１に記載の方法。
[Ｃ１６]  前記少なくとも１つのチャネル占有メトリックが、１つまたは複数のサービングセル、１つまたは複数の周波数内ネイバーセルについて報告することを備えると報告することをさらに備える、Ｃ１０に記載の方法。
[Ｃ１７]  少なくとも１つの周波数チャネルのためのチャネル選択支援のための測定値を報告するために少なくとも１つのユーザ機器（ＵＥ）を基地局によって構成するための手段と、ここにおいて、前記構成することが、前記少なくとも１つの周波数チャネルについてのチャネル占有に関連する少なくとも１つのパラメータを示す前記少なくとも１つの周波数チャネルのためのそれぞれの無線リソース管理（ＲＲＭ）測定構成を送ることを備える、
前記少なくとも１つのＵＥから、前記ＲＲＭ測定構成に従って測定された少なくとも１つのチャネル占有メトリックを受信するための手段と、
前記少なくとも１つのチャネル占有メトリックに少なくとも部分的に基づいて前記基地局の２次セルのための周波数チャネルを識別するための手段と
を備える、ワイヤレス通信のための装置。
[Ｃ１８]  前記ＲＲＭ測定構成が、前記少なくとも１つの周波数チャネルに関連する少なくとも１つのＲＳＳＩ測定パラメータを備え、前記少なくとも１つのＲＳＳＩ測定パラメータが、ＲＳＳＩ観測期間、ＲＳＳＩ測定期間、ＲＳＳＩしきい値、またはそれらの組合せを備え、ここにおいて、構成するための前記手段は、前記ＲＳＳＩ観測期間にわたる平均ＲＳＳＩ、または前記少なくとも１つの周波数チャネルのＲＳＳＩ測定値が前記ＲＳＳＩ観測期間にわたって前記ＲＳＳＩしきい値を上回る時間量のインジケータ、あるいはそれらの組合せを前記装置に報告させる、Ｃ１７に記載の装置。
[Ｃ１９]  前記ＲＳＳＩ観測期間が、少なくとも１つのＲＳＳＩ測定期間を備える、Ｃ１８に記載の装置。
[Ｃ２０]  前記少なくとも１つのチャネル占有メトリックは、ＲＳＳＩ測定値が前記ＲＳＳＩ観測期間にわたって前記ＲＳＳＩしきい値を上回る時間の割合を示す、Ｃ１８に記載の装置。
[Ｃ２１]  共有周波数スペクトル帯域の少なくとも１つの周波数チャネルを利用するキャリアアグリゲーション構成を有するユーザ機器（ＵＥ）において、前記少なくとも１つの周波数チャネルのための拡張ＤＭＴＣウィンドウを備える拡張発見基準信号（ＤＲＳ）測定タイミング構成（ＤＭＴＣ）を受信することと、
前記少なくとも１つの周波数チャネルについて、前記拡張ＤＭＴＣウィンドウにわたってネイバーセルによるＤＲＳ送信について探索を実施することと、
前記探索の結果をサービング基地局に報告することと
を備える、ワイヤレス通信の方法。
[Ｃ２２]  前記拡張ＤＭＴＣウィンドウが、探索期間またはウィンドウ持続時間のうちの少なくとも１つで構成される、Ｃ２１に記載の方法。
[Ｃ２３]  前記少なくとも１つの周波数チャネルを介したサービングセルまたはネイバーセルからの前記ＤＲＳが、リッスンビフォアトーク（ＬＢＴ）手順に従う、Ｃ２１に記載の方法。
[Ｃ２４]  前記探索の前記結果が、少なくとも１つの周波数内ネイバーセルについての少なくとも１つの測定値、前記少なくとも１つの周波数内ネイバーセルの識別子の少なくとも１つの指示、あるいはそれらの組合せを備える、Ｃ２１に記載の方法。
[Ｃ２５]  前記探索が、前記拡張ＤＭＴＣウィンドウ内の構成された時間位置において少なくとも１つのサービング２次セルＤＲＳについて探索することを備える、Ｃ２１に記載の方法。
[Ｃ２６]  前記探索が、前記拡張ＤＭＴＣウィンドウ内の構成された時間位置に関連しない少なくとも１つのネイバーセルＤＲＳについて探索することを備える、Ｃ２１に記載の方法。
[Ｃ２７]  前記拡張ＤＭＴＣウィンドウが、拡張ＤＭＴＣ探索期間および拡張ＤＭＴＣウィンドウ持続時間で構成される、Ｃ２１に記載の方法。
[Ｃ２８]  前記拡張ＤＭＴＣウィンドウ持続時間は、１つのＤＭＴＣ期間の持続時間に等しい、Ｃ２７に記載の方法。
[Ｃ２９]  前記探索が、前記サービング基地局による要求時に実施される、Ｃ２７に記載の方法。
[Ｃ３０]  前記ＵＥが、前記要求によって指定された持続時間にわたってＤＲＳ送信について探索を実施する、Ｃ２９に記載の方法。
【外国語明細書】
2020195142000001.pdf